(57)【特許請求の範囲】
【請求項１】
基材上の少なくとも一部に印刷画像を備え、
前記印刷画像は、明暗フリップフロップ性又はカラーフリップフロップ性の少なくともどちらか一方の特性を有する蒲鉾状画線が万線状に配置された集合蒲鉾状画線群の上に、正反射時において前記蒲鉾状画線の色彩とは異なる色彩を有する潜像画線が万線状に配置された集合潜像画像が積層されて成り、
前記集合蒲鉾状画線群は、前記蒲鉾状画線が第１の方向に万線状に配列された第１の蒲鉾状画線群と、前記第１の蒲鉾状画線群に隣接又は近接し、前記蒲鉾状画線が前記第１の方向とは異なる第２の方向に万線状に配列された第２の蒲鉾状画線群と、・・・、第ｎ−１の蒲鉾状画線群に隣接又は近接し、前記蒲鉾状画線が前記第ｎ−１の方向とは異なる第ｎの方向に万線状に配列された第ｎの蒲鉾状画線群から成り（ｎは２以上の整数）、
前記集合潜像画像は、第１の潜像画線が前記第１の方向に万線状に配列されて成る第１の潜像要素が、第１´の方向に複数配置されて成る第１の潜像画線群が複数配置された第一の潜像画像と、第２の潜像画線が前記第２の方向に万線状に配列されて成る第２の潜像要素が、第２´の方向に複数配置されて成る第２の潜像画線群が複数配置された第二の潜像画像、・・・、第ｎの潜像画線が前記第ｎの方向に万線状に配列された第ｎの潜像要素が、第Ｎの方向（Ｎは２以上の整数）に複数配置されて成る第ｎの潜像画線群が複数配置された第ｎの潜像画像から成り、
一つの前記潜像画像において、各々の前記潜像画線群は、隣接する前記潜像要素同士が位置、配置角度、形状及び大きさの、少なくとも一つが異なる略相似形状に形成され、
一つの前記潜像画線群において、対応した関係で配置された前記潜像要素同士は、位置、配置角度、形状及び大きさの、少なくとも一つが異なる最も近似した略相似形状に形成されることで、螺旋状の循環構造を有し、
前記蒲鉾状画線群と前記潜像画像の対を成す積層関係において、前記蒲鉾状画線の少なくとも一部に、前記潜像画線の少なくとも一部が重なって形成され、
正反射光下において前記基材を一定方向に連続的に角度を変化させて観察すると、第１の潜像要素から第ｎの潜像要素が特定の方向（第１´から第Ｎの方向）に連続して動く循環した動画効果を生じることを特徴とする潜像印刷物。
【請求項２】
前記第１の潜像画線群乃至前記第ｎの潜像画線群の形状が全て同一又は少なくとも一つが異なることを特徴とする請求項１記載の潜像印刷物。
【請求項３】
前記第１の方向乃至前記第ｎの方向が順次異なることを特徴とする請求項１又は２記載の潜像印刷物。
【発明の詳細な説明】
【技術分野】
【０００１】
本発明は、偽造防止効果を必要とするセキュリティ印刷物である銀行券、パスポ−ト、有価証券、身分証明書、カ−ド、通行券等の貴重印刷物の分野において、正反射光下で潜像が出現して動いて見える効果を有し、特に潜像の動きが連続的でスムーズであることを特徴とする潜像印刷物に関する。
【背景技術】
【０００２】
銀行券、パスポ−ト、有価証券、身分証明書等に代表されるセキュリティ印刷物には、複製や偽造を防止するために、偽造防止技術が必要とされている。また、偽造防止技術の中でも、すかしやホログラム等に代表される、道具を必要とせず、印刷物を手にした全ての人が真偽判別に利用できる偽造防止技術が特に必要とされている。
【０００３】
この中でも、画像が動いて見える、いわゆる「動画的な視覚効果」を備えた偽造防止技術が特に注目されている。画像が動いて見える動画的な視覚効果は、人目を惹きやすく、また偽造することが困難であることから、近年、セキュリティ印刷物の真偽判別要素として多く用いられる傾向にある。動画効果を実現可能な公知技術としてホログラム、パララックスバリアやレンチキュラー等を用いた技術が存在し、これらの技術が備える、わずかな角度変化で画像を変化させられるという特徴を活かして、画像が立体的に視認できる効果や、動画効果を備えたセキュリティ印刷物は、既に広く存在している。
【０００４】
本出願人は、高い光沢及び盛り上がりを有する蒲鉾状の画線に光が入射した場合に、盛り上がりを有する蒲鉾状の画線のうち、入射する光と法線を成す面のみが強く光を反射する現象を利用した動画効果を形成することが可能な印刷技術を既に出願している（例えば、特許文献１、特許文献２及び特許文献３参照）。これらの技術は、パララックスバリアやレンチキュラーの１０分の１程度の厚さで形成することが可能であって、製造技術も従来からある製版技術と印刷技術を活用することで容易に実施可能であり、かつ、一般的な印刷物と同じコストで動画効果を備えた印刷画像を形成することができるという優れた特徴を有する。
【０００５】
この中でも特許文献１及び特許文献２の実現可能な動画効果の一つの形態に、各々の画像の動きや配置に一定の相関を持たせ、各画像を一瞬で次々にチェンジさせることで、実際には不連続な別々の画像の繋がりであっても、観察者には連続した動きが生じているように認識させるパラパラ漫画方式の動画効果を実現する形態が存在する。
【０００６】
そして、このようなパラパラ漫画方式の動画効果を実現する形態に、図３３に示すような羽ばたく鳥のように動画の起点と終点を繋げて循環する構成とし、動画を延々とループさせる循環型のパラパラ漫画方式の動画効果（本発明中では「循環型の動画効果」と呼ぶ）を実現した形態が存在する。この循環型の動画効果は、限られた枚数の画像で延々とループする動画を見せることができることから、特許文献１や特許文献２の技術の他に、レンチキュラーやパララックスバリア等の画像遷移技術等、再生できる画像の枚数に限りのある技術において多く用いられる動画効果の一形態である。
【０００７】
特許文献３に記載の技術は、周期性のある二つの画像が干渉して、特定の画像が拡大されて出現するモアレ拡大現象（ｍｏｉｒｅ  ｍａｇｎｉｆｉｃａｔｉｏｎ）と呼ばれる効果を利用して優れた動画効果を実現した技術である。この技術を用いて実現可能な動画効果の一つの形態に、特定の方向に圧縮した微小模様を繰り返し配置した構成の潜像画像群と、配置ピッチがわずかに異なる蒲鉾状画線群とが干渉し、干渉から生まれた微小模様の拡大画像である拡大モアレが一定の周期性を有して複数出現し、出現した拡大モアレ全てが特定の方向にスムーズに動く効果を実現した一形態がある。
【０００８】
この形態の動画効果は、もともと不連続な別々な画像の繋がりを疑似的に連続した動きとして見せるパラパラ漫画方式の動画効果とは根本的に異なり、もともと連続した画像（圧縮された微小模様）を連続した動きとして見せる技術である。そのため、この形態の技術は、もともと連続した画像で構成される技術であることから動画効果のスムーズさに優れ、また同じ動画効果が必ず発現することから特に製造安定性に優れる。
【先行技術文献】
【特許文献】
【０００９】
【特許文献１】特許第４６８２２８３号公報
【特許文献２】特許第４６６０７７５号公報
【特許文献３】特許第５１３１７８９号公報
【発明の概要】
【発明が解決しようとする課題】
【００１０】
しかしながら、この循環型の動画効果には以下のような問題があった。循環型の動画効果を用いる場合、出現する画像の動きは、必ず対の動きで構成する必要があった。対の動きとは、画像が右方向へ動いたら、同じ画像を左方向へ動かす逆向きの動きのペアのことであり、上と下、奥と手前、拡大と縮小等がこれに当たる。循環型の動画において画像をループさせるためには、対の動きが必要となるため、結果として必要となる画像の枚数が増加するという問題があった。これについて、図３３の例で具体的に説明する。
【００１１】
図３３は、元々、Ａ−１、Ａ−２、Ａ−３、Ａ−４の４種類の画像で構成された動画であり、循環型の動画効果を用いない動画効果として（非循環型の動画と呼ぶ）、単に鳥が羽根を広げる効果のみを視認させるのであれば、鳥が羽根を閉じきった起点の画像（Ａ−１）と、鳥が羽根を広げきった終点の画像（Ａ−４）と、その中間を結ぶＡ−２、Ａ−３の中間画像の４枚の画像で動画を構成すればよい。
【００１２】
ただし、循環型の構造とするためには、広げた羽根を逆にたたむ（「広げる」と対の動き）必要があり、結局、終点（Ａ−４）と起点（Ａ−１）を逆の順序でつなぐＡ−５とＡ−６の中間画像を必要とする。結果として、非循環型の動画効果では、４枚の画像で動画を構成できるのに対して、循環型の動画効果では、６枚の画像を必要とする。
【００１３】
この循環型の動画効果が用いられるのは、特許文献１の技術、特許文献２の技術、レンチキュラー及びパララックスバリアを用いた画像遷移技術等の再生できる画像の枚数に限りがある技術の場合に多いことから、循環型の動画効果を構成するためには、動画として用いる画像の種類を減らす必要があり（多くの場合、鳥が羽根を閉じ切った起点画像（Ａ−１）と鳥が羽根を広げきった終点画像（Ａ−４）をつなぐ中間画像の枚数を減らす）、この場合、動きのなめらかさが失われることが多かった。以上のように、循環型の動画効果は、非循環型の動画効果と比較して多くの画像を必要とし、結果として動きのスムーズさが損なわれる傾向にあった。
【００１４】
また、特許文献１や特許文献２の技術において循環型の動画効果を実現した場合には、以下のような問題があった。特許文献１及び特許文献２の技術は、蒲鉾状画線群と潜像画線群を重ね合わせて形成する技術であり、この蒲鉾状画線群と潜像画線群の重ね合わせの位置関係によっては動画効果が安定しない場合があった。
【００１５】
具体的には、図３３のような６種類の原画像（Ａ−１、Ａ−２、Ａ−３、Ａ−４、Ａ−５、Ａ−６）を出現させて動画効果を発現させることを意図する場合、図３４に示すように潜像画線群（Ｌ）を構成する一つ一つの潜像画線（Ｃ）は、原画像（Ａ−１）を分割した潜像画線（Ｂ−１）、原画像（Ａ−２）を分割した潜像画線（Ｂ−２）、原画像（Ａ−３）を分割した潜像画線（Ｂ−３）、原画像（Ａ−４）を分割した潜像画線（Ｂ−４）、原画像（Ａ−５）を分割した潜像画線（Ｂ−５）、原画像（Ａ−６）を分割した潜像画線（Ｂ−６）の集合によって構成される。そして、盛り上がりを有した蒲鉾状画線群の上に潜像画線群（Ｌ）を重ね合わせる。
【００１６】
ここで、図３５（ａ）に示すように蒲鉾状画線（Ｄ）の上に、潜像画線群（Ｌ）の中の全ての潜像画線（Ｂ−１、Ｂ−２、Ｂ−３、Ｂ−４、Ｂ−５、Ｂ−６）が重なるように形成することで、正反射光下で６種類全ての原画像（Ａ−１、Ａ−２、Ａ−３、Ａ−４、Ａ−５、Ａ−６）が出現する効果を得ることができる。
【００１７】
加えて、図３５（ａ）のように、蒲鉾状画線（Ｄ）のＡ辺側からＡ’辺側にかけて、６種類の原画像（Ａ−１、Ａ−２、Ａ−３、Ａ−４、Ａ−５、Ａ−６）を表す潜像画線（Ｂ−１、Ｂ−２、Ｂ−３、Ｂ−４、Ｂ−５、Ｂ−６）が順に重なった場合、図３５（ｂ）、図３５（ｃ）及び図３５（ｄ）のように、印刷物を傾けることで、図３５（ｅ）のように、Ａ−１からＡ−２、Ａ−３、Ａ−４、Ａ−５、Ａ−６の順番か、Ａ−６からＡ−５、Ａ−４、Ａ−３、Ａ−２、Ａ−１の順番（傾ける方向が逆方向の場合）で原画像が再生される。
【００１８】
また、理想的な光源の状態においては、Ａ−６の原画像再生後、より深く印刷物を傾けると、再びＡ−１の原画像が出現し、そのままＡ−１からＡ−２、Ａ−３、Ａ−４、Ａ−５、Ａ−６の順番に２サイクル目、３サイクル目・・・と連続して同じ動画が再生される。以上のように、この図３５（ａ）に示す蒲鉾状画線（Ｄ）と潜像画線（Ｃ）の位置関係が最も理想的な位置関係であり、正反射光下で印刷物の観察角度を変化させることで、作製者が意図したとおりに鳥がスムーズに羽ばたく動画効果を得ることができる。
【００１９】
また、図３６（ａ）に示すように蒲鉾状画線（Ｄ）と潜像画線（Ｃ）の位置関係が最も理想的な位置関係からずれ、潜像画線（Ｃ）のうち、原画像（Ａ−６）を表す潜像画線（Ｂ−６）が蒲鉾状画線（Ｄ）と蒲鉾状画線（Ｄ）の間の非画線部に入り、いずれの蒲鉾状画線（Ｄ）の上にも重ならない位置関係となる場合も存在する。
【００２０】
引用文献１の技術において再生される潜像とは、蒲鉾状画線（Ｄ）の上に潜像画線（Ｂ）が重なった画像だけであり、重ならなかった潜像画線（Ｂ）の原画像は再生されないことから、刷り合わせのずれによって図３６（ａ）のような蒲鉾状画線（Ｄ）と潜像画線（Ｃ）の位置関係となった場合、原画像（Ａ−６）は再生されない。結果、図３６（ｅ）のように、Ａ−１からＡ−２、Ａ−３、Ａ−４、Ａ−５の順番で５種類の原画像のみが再生され、またＡ−５の原画像再生後にＡ−１の原画像が再生されるために、この間の画像の変化が相対的に大きくなる。この変化自体は、動きのスムーズさが損なわれることから問題ではあるが、実際には、この程度の変化は観察者の目にとまることはなく、図３５の印刷物と並べて比較しても観察者は気が付くことはない。
【００２１】
しかしながら、図３７に示すように蒲鉾状画線（Ｄ）と潜像画線（Ｃ）の位置関係となった場合、問題が生じる。図３７において潜像画線（Ｂ−４）が非画線部に形成されている。この場合、Ａ−４の原画像は再生されず、Ａ−５からＡ−６、Ａ−１、Ａ−２、Ａ−３の順番で５種類の原画像のみが再生され、またＡ−３の原画像再生後にＡ−５の原画像が再生される。この例においては、６種類の原画像のうち１種類の原画像が再生されないのは図３６の例と同じではあるが、図３６に示した例とは異なり、再生されない画像が６種類の原画像のうちでも特徴的な画像であることが問題の原因となる。
【００２２】
この潜像画線（Ｂ−４）が表す原画像（Ａ−４）とは、鳥の羽が最も大きく開いた特徴的な画像であり、この原画像（Ａ−４）が観察できない場合には、観察者は鳥の羽ばたきが小さくなったことに容易に気付く。動画において、動きや大きさ、位置等が特徴的な状態にある画像を観察できない場合、すなわち、この例に示すような羽根の開きが最大の大きさに達した原画像（Ａ−４）や、あるいは羽根の開きが最小である原画像（Ａ−１）が観察できない場合、観察者は、図３７の動画を図３５及び図３６の動画と同じ動画であるとは判断しない。
【００２３】
この蒲鉾状画線（Ｄ）と蒲鉾状画線（Ｄ）の間の非画線部は、印刷で蒲鉾状画線群を形成する特許文献１の技術形態においては不可欠なものであり、非画線部をなくすことはできない。また、一つ一つの潜像画線（Ｃ）の画線幅を非画線部の幅以下とすれば、全ての原画像（Ａ）が出現する効果を得ることができるものの、印刷で蒲鉾状画線群を形成する技術形態においては、非画線部の幅を一定の値以下に抑えることは難しく、この条件を満たすためには潜像画線（Ｃ）の画線幅は大きくなり、結果として原画像（Ａ）の数を少なくせざるを得ず、循環型の動画効果を実現する上では現実的な対応策とはなり得なかった。このため、刷り合わせを完全に制御しない限り、一定の割合で、図３７に示すような、観察者に一見して動画効果に違和感を生じさせる印刷物が形成される可能性があった。
【００２４】
偽造防止技術である特許文献１や特許文献２の技術における動画効果とは、印刷物の真偽判別の基準となることを想定したものであり、蒲鉾状画線（Ｄ）と潜像画線（Ｃ）の位置関係のずれによって、観察者が他の印刷物の動画効果との違いに気付き、異常製品である、あるいは偽造品であるという嫌疑を生じさせるような品質のアバレが生じる可能性があることは、真偽判別技術としては、好ましくなかった。
【００２５】
一方、特許文献３の技術は、モアレ拡大現象を利用した動画効果を発現する技術であり、潜像画線群と蒲鉾状画線群の刷り合わせの位置関係によって動画効果にアバレが生じる特許文献１や特許文献２の技術と異なり、特定の方向に圧縮した微小模様を繰り返し配置した構成の潜像画像群と蒲鉾状画線群の刷り合わせの位置に関係なく同じ動画効果が必ず発現するという特徴を有する。
【００２６】
しかしながら、モアレ拡大現象を利用するためには、微小模様を極めて狭い間隔で配置する必要があり、特許文献３のように印刷で潜像画像群を形成する場合には、円や星程度の単純な図形か、アルファベットの文字を１、２文字程度しか表現することができないというデザイン上の問題があった。また、動画効果も、出現した拡大モアレが蒲鉾状画線と直交する方向に平行に移動する効果に、ほぼ限定されるという動画表現の自由度の低さにも問題があった。
【００２７】
また、特許文献１から特許文献３までの技術は、盛り上がりを有する蒲鉾状画線群は、一種類の画線方向の蒲鉾状画線によって構成されているために、印刷画像中の各々の潜像画像の動きの方向の相対的な関係は変化することがないという問題があった。具体的には、印刷画像中に潜像Ａと潜像Ｂの別々の画像が各々逆の方向に移動する動画効果を付与した場合、例えば、潜像Ａが右方向に、潜像Ｂが左方向に移動する効果を付与したとすると、正反射光下で印刷物を一定の角度に傾けた場合と、逆の角度に傾けた場合では、潜像Ａが左方向に動き、潜像Ｂが右方向に動くといった、各々の動きの方向は逆転するものの、潜像Ａと潜像Ｂの動きの相対的な関係、すなわち潜像Ａと潜像Ｂが逆向きに動くという関係性は崩れることがなく、潜像Ａと潜像Ｂが同じ向きに動くことはできないという問題があった。
【００２８】
加えて、特許文献１から特許文献３までの全ての技術には、共通する以下の問題があった。特許文献１から特許文献３までの技術は、盛り上がりを有する蒲鉾状画線群に光が入射した場合、蒲鉾状画線群の画線表面のうち、入射した光と直交する画線表面のみが光を反射し、正反射した蒲鉾状画線の画線表面に重ねられた潜像画線群の一部のみがサンプリングされることで複数の潜像画像のうちの特定の潜像画像のみが可視化する構造を有する。このため、蒲鉾状画線の画線方向と直交する方向から光が入射した場合には、蒲鉾状画線の画線表面の一部のみが光を強く正反射するため、各潜像画像は各々単独で出現し、各々の潜像画像は鮮明に見えるが、一方で蒲鉾状画線の画線方向と平行な方向から光が入射した場合には蒲鉾状画線の画線表面全体が一様に光を正反射してしまうため、各潜像画像が混在した形で出現し、かつ、各々の潜像画像は、不鮮明に見えるという問題があった。
【００２９】
この問題について、具体的に図３８を用いて説明する。図３８における潜像印刷物の蒲鉾状画線群の画線方向がＳ３方向である場合、画線方向Ｓ３と直交する方向、すなわちＳ１方向の光が入射した場合、各潜像画像は各々単独で出現し、各々の潜像画像は鮮明に見える。しかし、Ｓ３方向の光が入射した場合には、各潜像画像は混在した形で出現し、かつ、各々の潜像画像は不鮮明に見えるという問題が生じる。以上のように、観察環境によって潜像画像の見え方が変化してしまうことは、刷り合わせずれによって動画効果が変化してしまうことと同様に、真偽判別技術として好ましくなかった。
【００３０】
本発明は、潜像画像群と蒲鉾状画線群を重ね合わせて形成する技術において、循環型の動画効果とモアレ拡大現象を利用した動画効果の各々の課題の解決を目的とするものであり、動きを対の関係にする必要がないために、動画効果の発現に必要とする原画像の枚数も少なくてよく、デザイン上の制約が小さく、蒲鉾状画線群と潜像画線群の刷り合わせがずれた場合でも、正反射光下でスムーズな動画効果が発現し、観察者に違和感を生じさせないことに加え、入射する光の方向が変化することによって、近接する画線方向の異なる領域同士で潜像の動きの関係が変化するユニークな効果を有し、また、入射する光の方向が変化しても少なくとも一部の潜像画像は鮮明に視認され、かつ、製造が容易であることを特徴とする潜像印刷物を提案することを目的とする。
【課題を解決するための手段】
【００３１】
本発明は、基材上の少なくとも一部に印刷画像を備え、印刷画像は、明暗フリップフロップ性又はカラーフリップフロップ性の少なくともどちらか一方の特性を有する蒲鉾状画線が万線状に配置された集合蒲鉾状画線群の上に、正反射時において蒲鉾状画線の色彩とは異なる色彩を有する潜像画線が万線状に配置された集合潜像画像が積層されて成り、  集合蒲鉾状画線群は、蒲鉾状画線が第１の方向に万線状に配列された第１の蒲鉾状画線群と、第１の蒲鉾状画線群に隣接又は近接し、蒲鉾状画線が第１の方向とは異なる第２の方向に万線状に配列された第２の蒲鉾状画線群と、・・・、第ｎ−１の蒲鉾状画線群に隣接又は近接し、蒲鉾状画線が第ｎ−１の方向とは異なる第ｎの方向に万線状に配列された第ｎの蒲鉾状画線群から成り（ｎは２以上の整数）、集合潜像画像は、第１の潜像画線が第１の方向に万線状に配列されて成る第１の潜像要素が、第１´の方向に複数配置されて成る第１の潜像画線群が複数配置された第一の潜像画像と、第２の潜像画線が第２の方向に万線状に配列されて成る第２の潜像要素が、第２´の方向に複数配置されて成る第２の潜像画線群が複数配置された第二の潜像画像、・・・、第ｎの潜像画線が第ｎの方向に万線状に配列された第ｎの潜像要素が、第Ｎの方向（Ｎは２以上の整数）に複数配置されて成る第ｎの潜像画線群が複数配置された第ｎの潜像画像から成り、一つの潜像画像において、各々の潜像画線群は、隣接する潜像要素同士が位相、配置角度、形状及び大きさの、少なくとも一つが異なる略相似形状に形成され、一つの潜像画線群において、対応した関係で配置された潜像要素は、位相、配置角度、形状及び大きさの、少なくとも一つが異なる最も近似した略相似形状に形成されることで、螺旋状の循環構造を有し、蒲鉾状画線群と潜像画像の対を成す積層関係において、蒲鉾状画線の少なくとも一部に、潜像画線の少なくとも一部が重なって形成され、正反射光下において印刷物を一定方向に連続的に角度を変化させて観察すると、第１の潜像要素から第ｎの潜像要素が特定の方向（第１´から第Ｎの方向）に連続して動く循環した動画効果を生じることを特徴とする潜像印刷物である。
【００３２】
また、本発明の潜像印刷物は、第１の潜像画線群乃至第ｎの潜像画線群の形状が全て同一又は少なくとも一つが異なることを特徴とする。
【００３３】
さらに、本発明の潜像印刷物は、第１の方向乃至第ｎの方向が順次異なることを特徴とする。
【発明の効果】
【００３４】
本発明は、パラパラ漫画方式の動画効果を実現するための画像構成に、モアレ拡大現象で発現する画像構成の特徴を融合させることで、従来の技術にあった課題を解決した技術である。まず、通常の循環型の動画効果のように動きを対の関係にする必要がなく、非循環型の動画のように単一方向の動きを表した画像でループする動画効果を実現できるため、動画効果の発現に必要とする原画像の枚数も少なくてよい。結果として、画像間の差異を小さくする中間の画像のために原画像を多く割り当てることから、動きのよりスムーズな動画効果を発現できる。
【００３５】
本発明の潜像印刷物では、蒲鉾状画線群と潜像画線群の刷り合わせがずれ、原画像の一部が再生されなかった場合でも、正反射光下でスムーズな動画効果が必ず安定して発現することから、観察者に違和感を生じさせることがない。
【００３６】
刷り合わせによらず、安定した動画効果が再現されることから、蒲鉾状画線群と潜像画線群とを一対に重なるように刷り合わせを正確に制御する必要がなくなった。これによって、製造難度が大きく低下し、より製造しやすくなった。
【００３７】
基本的な動画の画像構成は、パラパラ漫画方式であるため、原画像のデザイン上の制約はモアレ拡大現象を用いた特許文献３の技術と比較して相対的に小さく、また、回転や拡大、縮小といった特許文献３の技術では不可能であった動画表現が可能である。
【００３８】
本発明の潜像印刷物の蒲鉾状画線群は、画線方向の異なる少なくとも２種類以上の蒲鉾状画線群によって形成されて成るために、入射する光の方向が変化した場合、各々異なる蒲鉾状画線群における各々の潜像画像の動きの方向の相対的な関係が変化する効果を有する。すなわち、印刷画像中に別々に配された潜像Ａと潜像Ｂが同じ方向に動いたり、逆の方向に動いたりする。これは従来の技術では不可能であった動きである。
【００３９】
また、本発明に潜像印刷物の蒲鉾状画線群は、画線方向の異なる少なくとも２種類以上の蒲鉾状画線群によって形成されて成るために、ある一定の方向から光が入射した場合、仮にその光が一方の蒲鉾状画線群の画線方向と平行な方向で入射して、その蒲鉾状画線群における効果が低下したとしても、画線方向の異なるもう一方の蒲鉾状画線群において充分な効果が発揮される。このため、印刷画像全体において効果が生じないという光の入射方向が存在せず、真偽判別性がより安定した。
【００４０】
本発明の潜像印刷物は、ホログラムのように専用の作製装置や機械を必要とせず、一般的な機能性材料と、既存の印刷機を用いることで作製可能であり、また、特に高い刷り合わせ精度も要求しないことから、生産が容易で、かつ、コストパフォーマンスも高い。
【図面の簡単な説明】
【００４１】
【図１】本発明の第一の実施の形態における潜像印刷物の一例を示す。
【図２】第一の実施の形態における印刷画像の構成の概要を示す。
【図３】第一の実施の形態における集合蒲鉾状画線群を示す。
【図４】第一の実施の形態における集合潜像画線群を示す。
【図５】第一の実施の形態における第一の潜像画像を示す。
【図６】第一の実施の形態における第一の潜像画像の各潜像画線群と各原画像を示す。
【図７】第一の実施の形態における第一の潜像画像の第一の潜像画線群の構成を示す。
【図８】第一の実施の形態における第一の潜像画像の原画像の構成を示す。
【図９】第一の実施の形態における第一の潜像画像の原画像の構成を示す。
【図１０】第一の実施の形態における第二の潜像画像を示す。
【図１１】第一の実施の形態における第二の潜像画像の各潜像画線群と各原画像を示す。
【図１２】第一の実施の形態における第二の潜像画像の第一の潜像画線群の構成を示す。
【図１３】第一の実施の形態における第二の潜像画像の原画像の構成を示す。
【図１４】第一の実施の形態における原画像の構成を示す。
【図１５】第一の実施の形態における集合蒲鉾状画線群と集合潜像画像の重ね合わせの位置関係の一例を示す。
【図１６】第一の実施の形態における光の入射方向を示す。
【図１７】第一の実施の形態における蒲鉾状画線群と集合潜像画線群の重ね合わせの位置関係の一例とその効果を示す。
【図１８】第一の実施の形態における蒲鉾状画線群と集合潜像画線群の重ね合わせの位置関係の一例とその効果を示す。
【図１９】第一の実施の形態における光の入射方向と動きの向きを示す。
【図２０】第一の実施の形態における光の入射方向と動きの向きを示す。
【図２１】第一の実施の形態における光の入射方向と動きの向きを示す。
【図２２】第二の実施の形態における印刷画像の構成の概要を示す。
【図２３】第二の実施の形態における印刷画像の構成の概要を示す。
【図２４】第二の実施の形態における集合蒲鉾状画線群を示す。
【図２５】第二の実施の形態において出現する画像の構成の概要を示す。
【図２６】第二の実施の形態における各々の潜像画像における原画像を示す。
【図２７】第一の実施の形態における集合蒲鉾状画線群と集合潜像画像の重ね合わせの位置関係の一例を示す。
【図２８】第二の実施の形態における光の入射方向を示す。
【図２９】第二の実施の形態における光の入射方向と動きの向きを示す。
【図３０】原画像要素の動きの一例を示す。
【図３１】原画像要素の動きの一例を示す。
【図３２】原画像要素の蒲鉾状画線群の構成の一例を示す。
【図３３】従来技術における原画像の構成を示す。
【図３４】従来技術における潜像画線群の構成を示す。
【図３５】従来技術における蒲鉾状画線群と潜像要素群の重ね合わせの位置関係の一例とその効果を示す。
【図３６】従来技術における蒲鉾状画線群と潜像要素群の重ね合わせの位置関係の一例とその効果を示す。
【図３７】従来技術における蒲鉾状画線群と潜像要素群の重ね合わせの位置関係の一例とその効果を示す。
【図３８】従来技術における入射する光の方向と効果の関係を示す。
【発明を実施するための形態】
【００４２】
（第一の実施の形態）
本発明を実施するための形態について、図面を参照して説明する。しかしながら、本発明は、以下に述べる実施するための形態に限定されるものではなく、特許請求の範囲記載における技術的思想の範囲内であれば、その他のいろいろな実施の形態が含まれる。
【００４３】
第一の実施の形態では、潜像印刷物（１）の動画効果が、出現する潜像要素の形状が変化せず、一定の方向にのみ回転する単純な形態を用いて説明する。図１に、本発明における潜像印刷物（１）を示す。図１（ａ）に示すのは、潜像印刷物（１）の正面図であり、図１（ｂ）に示すのは、潜像印刷物（１）のＡ−Ａ’ラインにおける断面図である。
【００４４】
潜像印刷物（１）は、基材（２）上の一部に、印刷画像（３）を備えている。基材（２）は、印刷画像（３）が形成できれば、紙であってもプラスティックであっても、金属等であってもよく、その材質は問わない。印刷画像（３）は、いかなる色彩であってもよく、また、透明又は半透明であってもよい。さらに、基材（２）の大きさについても、特に制限はない。
【００４５】
本発明の印刷画像（３）の構成の概要を図２に示す。印刷画像（３）は、集合蒲鉾状画線群（４）及び集合潜像画像（５）から成る。積層順としては、集合蒲鉾状画線群（４）の上に集合潜像画像（５）が重なって成る。第一の実施の形態において、大きな円形状である集合蒲鉾状画線群（４）は、大きな円の中心の小さな領域を占める円から成る第１の蒲鉾状画線群（４−１）と、第１の蒲鉾状画線群（４−１）に近接（隣接含む）して周囲を取り囲むドーナツ形状の第２の蒲鉾状画線群（４−２）の二つの画線群から成る。
【００４６】
また、同様に集合潜像画像（５）についても、集合蒲鉾状画線群（４）の第１の蒲鉾状画線群（４−１）と第２の蒲鉾状画線群（４−２）は、各々第一の潜像画像（５−１）と第二の潜像画像（５−２）とを有する。黒く表した画像以外の白抜き部を含んだ第一の潜像画像（５−１）の領域と形状は、第１の蒲鉾状画線群（４−１）と一致し、同じく黒く表した画像以外の白抜き部を含んだ第二の潜像画像（５−２）の領域と形状は、第２の蒲鉾状画線群（４−２）と一致する。
【００４７】
本発明の潜像印刷物（１）は、各々の集合蒲鉾状画線群（４）が少なくとも二つ以上の異なる蒲鉾状画線群（４−１、４−２、・・・、４−ｎ（ｎは２以上の整数））を有し、加えて、その上に積層される集合潜像画像（５）も、蒲鉾状画線群（４−１、４−２、・・・、４−ｎ）と同じ数だけ存在して、各々重ねられた蒲鉾状画線群（４−１、４−２、・・・、４−ｎ）と同じ領域と形状を有して成る。このように、同じ領域と形状を有して上下に重なり合う関係の第１の蒲鉾状画線群（４−１）と第一の潜像画像（５−１）の関係、第２の蒲鉾状画線群（４−２）と第二の潜像画像（５−２）の関係及び第ｎの蒲鉾状画線群（４−ｎ）と第ｎの潜像画像（５−ｎ）の関係を本明細書において「対を成す積層関係」と呼ぶ。なお、本第１の実施形態では、図２に示すように、蒲鉾状画線群（４）及び潜像画像（５）は各々二つ形成した形態として説明する。
【００４８】
まず、集合蒲鉾状画線群（４）について具体的に説明する。図３に示すのは、集合蒲鉾状画線群（４）であり、盛り上がりを有する複数の蒲鉾状画線群（４−１、４−２）から成る。各々の蒲鉾状画線群（４−１、４−２）は、各々画線群を構成する画線の方向が異なる。すなわち、第１の蒲鉾状画線群（４−１）は、第１の方向（図中Ｓ１方向）を有し、特定の画線幅（Ｗ１）の蒲鉾状画線（６−１）が第２の方向（図中Ｓ２方向）に第１のピッチ（Ｐ１）で万線状に配置されることで形成されて成り、また一方の第２の蒲鉾状画線群（４−２）は、第２の方向（図中Ｓ２方向）を有し、特定の画線幅（Ｗ２）の蒲鉾状画線（６−２）が第１の方向（図中Ｓ１方向）に第２のピッチ（Ｐ２）で万線状に配置されることで形成されて成る。
【００４９】
集合蒲鉾状画線群（４）を構成する全ての蒲鉾状画線（６）の拡散反射光下における色彩は問わず、いかなる色彩であってもよく、透明であっても半透明であってもよい。なお、本発明における「万線状に配置する」とは、蒲鉾状画線（６）や後述する潜像画線（９）等の印刷画像（３）の一部を構成する特定の要素が、特定の方向に特定のピッチで連続して規則的に配置されることを指す。
【００５０】
また、蒲鉾状画線（６）は、明暗フリップフロップ性又はカラーフリップフロップ性の少なくともどちらか一方の特性を有し、正反射光下では強い反射光を発する特性を有する必要がある。本発明における「明暗フリップフロップ性」とは、物質に光が入射した場合に、物質の明度が変化する性質を指し、「カラーフリップフロップ性」とは、物質に光が入射した場合に、物質の色相が変わる性質を指す。
【００５１】
明暗フリップフロップ性を備えた印刷で用いるインキとしては、金色や銀色等のメタリック系の金属インキや、グロスタイプの着色インキがある。一般的に艶があると感じられる物質は、明暗フリップフロップ性を備える。例えば、銀インキは、光を強く反射しない拡散反射光下では暗い灰色にしか見えないが、光を強く反射する正反射光下では、より淡い灰色か、あるいは白色に見える。このように、「明暗フリップフロップ性」を有するインキは、正反射光下で明度が変化する。
【００５２】
一方のカラーフリップフロップ性を備えた印刷で用いるインキとしては、パールインキや液晶インキ、ＯＶＩ（Ｏｐｔｉｃａｌ  Ｖａｒｉａｂｌｅ  Ｉｎｋ）、ＣＳＩ（Ｃｏｌｏｒ  Ｓｈｉｆｔｉｎｇ  Ｉｎｋ）等が存在する。多くのインキは、物体色を有するが、虹彩色パールインキは、無色透明である。例えば、赤色の虹彩色パールインキは、拡散反射光下では無色透明だが、正反射光下では赤色の干渉色を発する。このように、「カラーフリップフロップ性」を備えたインキは、正反射光下で色相が変化する。蒲鉾状画線（６）は、以上のような光学特性を備える必要がある。
【００５３】
各々の蒲鉾状画線（６）は、一定の盛り上がり高さが必要であり、少なくとも３μｍ以上を有することが好ましい。３μｍより低い高さで形成した場合でも、要素のピッチを狭く形成することで、本発明の効果を再現することは可能であるものの、画像の視認性が極端に低くなったり、前述のように出現する原画像が不鮮明にぼやけて再生されたりする場合が多いため、好ましい形態とはいえない。また、盛り上がりの高さの上限に関しては、性能上の上限は存在しないが、大量に積載した場合の安定性や耐摩擦性、流通適性等を考慮し、１ｍｍ以下とする。
【００５４】
本発明における蒲鉾状画線群（４）は、構成する蒲鉾状画線（６）に一定の盛り上がり高さが必須であることから、印刷画線に盛り上がりを形成可能な印刷方式で印刷することが好ましい。すなわち、フレキソ印刷、グラビア印刷、凹版印刷又はスクリ−ン印刷等で形成することができる。また、本実施の形態のように、印刷で直接画線の盛り上がりを形成するのではなく、エンボス加工やすき入れによって基材（２）上に凹凸構造を形成して、その上に印刷皮膜を形成したり、フィルムを貼付したりして蒲鉾状画線群（４）としてもよい。
【００５５】
また、蒲鉾状画線（６）に、高いカラーフリップフロップ性を付与したい場合には、蒲鉾状画線（６）の画線の表面にカラーフリップフロップ性を有する顔料が揃って配向していることが好ましい。このような状態は、一般にリーフィングと呼ばれ、優れたリーフィング効果を得る方法としては、例えば、特開２００１−１０６９３７号公報に記載の技術のように顔料に撥水及び撥油性を付与する方法がある。この方法を用いた場合には、蒲鉾状画線（６）が正反射光下で発する反射光の色彩をより豊かにすることができるため、好ましい。
【００５６】
前述のようなリーフィング効果を有する機能性顔料と着色顔料を単一のインキ中に配合した場合、単一のインキで印刷したにも関わらず、リーフィング効果を有する機能性顔料と着色顔料が蒲鉾状画線（６）の上層と下層に別々の層構造を形成するため、一見すると着色インキ層と機能性顔料層を別々のインキで印刷した場合と同等の、極めて高いカラーフリップフロップ性を発揮するため、特に有効である。
【００５７】
次に、集合潜像画像（５）について説明する。本発明の集合潜像画像（５）は、集合蒲鉾状画線群（４）と同様に、画線方向の異なる画線群によって構成された複数の潜像画像の集合によって成る。図４に示すのは、集合潜像画像（５）であり、複数の潜像画像である第一の潜像画像（５−１）、第二の潜像画像（５−２）、・・・、第ｎの潜像画像（５−ｎ（ｎは２以上の整数））から成る。なお、本実施の形態では、前述の集合蒲鉾状画線群（４）と同様、二つの潜像画像（５）から成るものとして説明する。
【００５８】
各々の潜像画像（５−１、５−２）は、各々画像を構成する画線の方向が異なる。すなわち、第一の潜像画像（５−１）は、第１の方向（図中Ｓ１方向）を有し、特定の画線幅（Ｗ３）の第１の集合潜像画線群（１２−１）が第２の方向（図中Ｓ２方向）に第１のピッチ（Ｐ１）で万線状に配置されることで形成されて成り、また一方の第二の潜像画像（５−２）は、第２の方向（図中Ｓ２方向）を有し、特定の画線幅（Ｗ９）の第２の集合潜像画線群（１２−２）が第１の方向（図中Ｓ１方向）に第２のピッチ（Ｐ２）で万線状に配置されることで形成されて成る。
【００５９】
集合潜像画像（５）の中の各々の潜像画像（５−１、５−２）を構成する集合潜像画線群（１２−１、１２−２）は、対を成す積層関係にある各々の蒲鉾状画線群（４−１、４−２）を構成する蒲鉾状画線（６−１、６−２）と、画線方向が同じである。また、集合潜像画像（５）の中の各々の潜像画像（５−１、５−２）を構成する集合潜像画線群（１２−１、１２−２）のピッチは、対を成す積層関係にある各々の蒲鉾状画線群（４−１、４−２）を構成する蒲鉾状画線（６−１、６−１）のピッチと同じ値である。
【００６０】
ここから、個別の潜像画像（５−１、５−２）の構成について説明する。各々の潜像画像（５−１、５−２）の基本的な画線構成とは、引用文献１や引用文献２と同様にパラパラ漫画方式の動画効果（相関のある複数の画像をチェンジさせる効果）を実現させるための画線構成であり、出現させたいと意図する画像を特定のピッチ（Ｐ）及び画線幅（Ｗ）の画線で分断して分断画線化し、最終的に各々の画線を集合させる分断画線の集合体の構造を有する。まず、第一の潜像画像（５−１）の構成を具体的に説明する。
【００６１】
図５に示すように、第一の潜像画像（５−１）は、複数の第１の潜像画線群（７−１）によって構成されている。同様に、第二の潜像画像（５−２）も複数の第２の潜像画線群（７−２）により構成され、第三の潜像画像（５−３）から第ｎの潜像画像も、第三の潜像画線群（７−３）から第ｎの潜像画線群（７−ｎ）により構成されている。
【００６２】
本第一の実施の形態では、図５に示すように、第一の潜像画像（５−１）は、第１−１の潜像画線群（７−１−１）、第１−２の潜像画線群（７−１−２）、第１−３の潜像画線群（７−１−３）、第１−４の潜像画線群（７−１−４）及び第１−５の潜像画線群（７−１−５）の五つの第１の潜像画線群（７−１）から構成されている。なお、本第一の実施の形態では、第一の潜像画像（５−１）が五つの潜像画線群（７−１）から形成されているが、これに限定されるものではなく、第１−ｆの潜像画線群（ｆは２以上の整数）から構成されていてもよい。
【００６３】
また、図示はしていないが、第二の潜像画像（５−２）についても、第２−１の潜像画線群（７−２−１）から第２−５の潜像画線群（７−２−５）までの五つの潜像画線群から構成されているものであるとして説明するが、第一の潜像画像（５−１）と同様、これに限定されるものではなく、第２−ｇの潜像画線群（ｇは２以上の整数）から構成されていてもよい。さらに、第一の潜像画像（５−１）を構成する第１−ｆの潜像画線群のｆの数と、第二の潜像画像（５−２）を構成する第２−ｇの潜像画線群のｇの数は同じでも異なっていてもよい。
【００６４】
第一の潜像画像（５−１）を構成している各々の第１の潜像画線群（７−１−１、７−１−２、７−１−３、７−１−４、７−１−５）は、雪の結晶を表した第１の原画像（９−１）から成る。各々の第１の原画像（９−１）の中の雪の結晶の配置は、画像中央の回転中心（Ｏ）を基準として反時計回りの第１´の方向（図中Ｓ１´方向）に角度が９度ずつ異なる。なお、各潜像画線（８）が配列されている方向は、前述のとおり第１の方向、第２の方向、・・・、第ｎ−１の方向及び第ｎの方向（ｎは２以上の整数）と記すが、図５に示すように、各潜像要素（１２）が配列される方向、いわゆる、潜像画線群（７）が動的効果を奏する動きの方向は、第１´の方向、第２´の方向、・・・、第Ｎ−１の方向及び第Ｎの方向（Ｎは２以上の整数）と記す。この潜像要素（１２）の配列方向及び動きの方向については、潜像画線（８）の配列方向（第１の方向乃至第ｎの方向）と同じでも、異なっていてもよい。さらに、各潜像画像（５）を構成している各潜像画線群（７）においては、各潜像要素（１２）の配置方向（第１´乃至第Ｎの方向）も同じでも、異なっていてもよい。ただし、より一層の動的効果を出現させるためには、同じ方向であることが好ましい。
【００６５】
図５に示すように、これらの第１の潜像画線群は、元々図５に示す第１−１の原画像（９−１−１）、第１−２の原画像（９−１−２）、第１−３の原画像（９−１−３）、第１−４の原画像（９−１−４）、第１−５の原画像（９−１−５）を基とし、これらの第１の原画像（９−１）を加工することによって成る。具体的には、第１−１の潜像画線群（７−１−１）は、第１−１の原画像（９−１−１）を基にし、第１−２の潜像画線群（７−１−２）は、第１−２の原画像（９−１−２）を基にし、第１−３の潜像画線群（７−１−３）は、第１−３の原画像（９−１−３）を基にし、第１−４の潜像画線群（７−１−４）は、第１−４の原画像（９−１−４）を基にし、第１−５の潜像画線群（７−１−５）は、第１−５の原画像（９−１−５）を基にする。各々の第１の原画像（９−１）とは、いわば実際の第１の潜像画線群（７−１）を形成するための設計図となる画像である。同様に、第二の潜像画像（５−２）についても、第２の原画像（９−２）を設計図となる画像とし、第２の潜像画線群（７−２）を形成している。次に、各々の潜像画線群（７）を構成している潜像要素（１０）について説明する。
【００６６】
図６（ａ）は、第１−１の潜像画線群（７−１−１）の構成を説明する図である。第１−１の潜像画線群（７−１−１）は、図６（ｂ）に示した第１の原画像要素（１０−１）を分割した複数の第１−１の潜像画線（８−１−１）によって構成されている第１−１の潜像要素（１１−１−１）が複数配置されて成る。本第一の実施の形態における第１の原画像要素（１０−１）は、図６（ｂ）に示した「￥」のような形状を示す模様であり、その第１の原画像要素（１０−１）を、中心点（Ｏ）を中心に円形に配列すると、第１−１の潜像画線群（７−１−１）のような「雪の結晶」のような形状となる。詳細は後述する。
【００６７】
また、図６（ｃ）は、第１−２の潜像画線群（７−１−２）の構成を説明する図である。第１−２の潜像画線群（７−１−２）は、やはり第１の原画像要素（１０−１）を分割した複数の第１−２の潜像画線（８−１−２）によって構成されている第１−２の潜像要素（１１−１−２）が複数配置されて成る。なお、本第一の実施の形態では、第１−１の潜像要素（１１−１−１）と第１−２の潜像要素（１１−１−２）は、第１の原画像要素（１０−１）と同じ模様となっており、同様に、同じ第一の潜像画像（５−１）を構成する全ての潜像要素（１１）は、第１の原画像要素（１０−１）と同じ模様となっている。ただし、必ず同じ模様（形状、大きさ）とするものではなく、異なっていてもよいが、観察時における視認効果を考慮すると、同じ又は略相似形であることが好ましい。
【００６８】
第１−１の潜像要素（１１−１−１）は、第２の方向（Ｓ２方向）の特定の画線幅（Ｗ４）の第１−１の潜像画線（８−１−１）が、特定のピッチ（Ｐ１）で第２の方向（図中Ｓ２方向）に連続して配置されて成る。同様に、第１−２の潜像要素（１１−１−２）は、第２の方向（Ｓ２方向）の特定の画線幅（Ｗ５）の第１−２の潜像画線（８−１−２）が、特定のピッチ（Ｐ１）で第２の方向（図中Ｓ２方向）に連続して配置されて成る。すなわち、第１の潜像要素（１１−１）は、第１の原画像要素（１０−１）に対して、第１の潜像画線（８−１）で分断した画線構成を有する。
【００６９】
なお、これ以後、具体的に個別の第１−１の潜像要素（１１−１−１、１１−１−２、１１−１−３、１１−１−４、１１−１−５）を指すのではなく、第１の潜像要素全般を指す場合には、第１の潜像要素（１１−１）と記し、さらに、第１の潜像要素（１１−１）に限らず本技術全体の潜像要素を指す場合には、潜像要素（１１）と記す。同様に、第１の原画像要素（１０−１−１、１０−１−２、・・・、１０−１−ｆ）を指すのではなく、原画像要素全般を指す場合には、原画像要素（１０）と記し、同じく個別の第１−１の潜像画線（８−１−１、８−１−２、８−１−３、８−１−４、８−１−５）を指すのではなく、第１の潜像画線全般を指す場合には、第１の潜像画線（８−１）と記し、さらに、第１の潜像画線（８−１）に限らず本技術全体の潜像画線を指す場合には、潜像画線（８）と記す。また、これ以後登場する複数の同列の物体が存在する要素についても、具体的な個別の要素を指すのではなく、要素全般を指す場合には「名称（単体数字）」と表記する。
【００７０】
前述のとおり、第一の潜像画像（５−１）は、五つの第１の潜像画線群（７−１）により構成されており、各々の潜像画線群は、各々の潜像画線（８）により形成されているが、図７に示すように、第一の潜像画像（５−１）は、第１の方向（図中Ｓ１方向）を有する五つの画線（８−１−１、８−１−２、８−１−３、８−１−４、８−１−５）が集合した特定の画線幅（Ｗ３）の第１の集合潜像画線（１２−１）が第２の方向（図中Ｓ２方向）に連続して特定のピッチ（Ｐ１）で万線状に配列されて成る。
【００７１】
本第一の実施の形態では、五つの画線（８−１−１、８−１−２、８−１−３、８−１−４、８−１−５）が集合して第１の集合潜像画線（１２−１）が構成されているが、これは、第一の潜像画像（５−１）を構成している第１の潜像画線群（７−１）が５個であることに由来する。したがって、第一の潜像画像（５−１）がｆ個の第１の潜像画線群（７−１）から構成されているのであれば、第１の集合潜像画線（１２−１）はｆ個の画線（８−１−ｆ）が集合して構成されることとなる。
【００７２】
第１の集合潜像画線（１２−１）を構成する五つの画線とは、Ｗ４の画線幅を有する第１の潜像画線（８−１−１）、Ｗ５の画線幅を有する第２の潜像画線（８−１−２）、Ｗ６の画線幅を有する第３の潜像画線（８−１−３）、Ｗ７の画線幅を有する第４の潜像画線（８−１−４）、Ｗ８の画線幅を有する第５の潜像画線（８−１−５）である。
【００７３】
第１の集合潜像画線（１２−１）の画線幅（Ｗ３）の値は、第１のピッチ（Ｐ１）以下であればよい。第一の実施の形態の例においては、第１の集合潜像画線（１２−１）の中には、五種類の第１の潜像画線（８−１−１、８−１−２、８−１−３、８−１−４、８−１−５）が互いに重なり合うことなく配置されて成る。また、潜像画線間の空隙（非画線部）はあっても、なくてもよい。
【００７４】
各々の画線幅については、全ての第１の潜像画線（８−１−１、８−１−２、８−１−３、８−１−４、８−１−５）の画線幅（Ｗ４、Ｗ５、Ｗ６、Ｗ７、Ｗ８）の合計の幅が第１の集合潜像画線（１２−１）の画線幅（Ｗ３）以下である条件を満たせば、同じであっても、異なっていてもよい。画線幅が大きい第１の潜像画線（８−１−１、８−１−２、８−１−３、８−１−４、８−１−５）で形成された画像は、相対的に広い角度範囲で視認可能であり、画線幅が小さい第１の潜像画線（８−１−１、８−１−２、８−１−３、８−１−４、８−１−５）で形成された画像は、相対的に狭い角度範囲で視認される。
【００７５】
各々の潜像画線（８−１−１、８−１−２、８−１−３、８−１−４、８−１−５）の画線幅を変更した上でスムーズな動画効果を実現することは可能だが、画線設計がより複雑になる傾向にある。このことからスムーズで安定した動画効果を容易に実現するには、各々の画線幅は同じにすることが好ましい。
【００７６】
以上説明した潜像画線群（７）、いわゆる現画像（９）は、図８に示すとおり、本発明では、従来の循環型の動画効果を有した技術と同様に、第１の原画像（９−１）全体がループする循環構成を有する。例えば、第１−１の原画像（９−１−１）→第１−２の原画像（９−１−２）→第１−３の原画像（９−１−３）→、・・・、→第１−ｆの原画像（９−１−ｆ）を１サイクルとした画像の繋がりを有し、かつ、終点となる第１−ｆの原画像（９−１−ｆ）が、始点となる第１−１原画像（９−１−１）と連続した画像として繋がる構成を有する。
【００７７】
ここで本発明の特徴である、集合蒲鉾状画線群（４）と集合潜像画像（５）の刷り合わせがずれた場合でも、刷り合わせに依存せず、正反射光下でスムーズなパラパラ漫画方式の動画効果を生じさせるための、原画像（９）構成上の工夫について説明する。
【００７８】
図８の例では、第１−１の原画像（９−１−１）→第１−２の原画像（９−１−２）→第１−３の原画像（９−１−３）→第１−４の原画像（９−１−４）→第１−５の原画像（９−１−５）を１サイクルとし、第１−５の原画像（９−１−５）から再び第１−１の原画像（９−１−１）へと繋がる循環構成を有することを説明した。ここで、循環構成の原画像（９）において再生順に並べた場合に隣り合う原画像（９）の関係を「隣り合う関係」と定義する。例えば、第一の実施の形態では、第１−２の原画像（９−１−２）は、第１−１の原画像（９−１−１）及び第１−３の原画像（９−１−３）と隣り合う関係にあり、第１−５の原画像（９−１−５）は、第１−４の原画像（９−１−４）及び第１−１の原画像（９−１−１）と隣り合う関係にある。
【００７９】
図９（ａ）に第１の原画像（９−１）を拡大して示す。本発明における全ての原画像（９）は、前述したとおり、原画像（９）を構成する最小単位である原画像要素（１０）の集合によって構成されて成る。これが原画像（９）構成上重要な点の一つである。
【００８０】
第一の実施の形態の第一の潜像画像（５−１）における原画像要素（１０−１）とは、既に説明したように、「￥」に似た棒状の図柄であり、図９（ａ）に示すように第１−１の原画像（９−１−１）を構成する図柄である雪の結晶を分解すると、八つの第１の原画像要素（１０−１）から成る。なお、一つの原画像（９）を構成する原画像要素（１０）については、この八つに限定されるものではなく、ｍ個（ｍは２以上の整数）から構成されていてもよい。
【００８１】
本発明の独自の工夫とは、原画像（９）が循環する構成のみにあるのではなく、図９に示すように、各々に共通する画像要素である原画像要素（１０−１、１０−２、１０−３、・・・、１０−ｎ）の集合によって、全ての原画像（９）を構成し、各々の原画像要素（１０）が位相、配置角度、形状及び大きさのうち、少なくともいずれか一つが異なる関係を有して、全ての原画像（９）において循環する構成を有することである。この基本的な原画像（９）の構成は、モアレ拡大現象によって生じた拡大モアレが、一定の規則性を有して複数連続して出現する構成に由来するものであり、本発明では原画像要素（１０）を拡大モアレに見立てて原画像（９）を構成する。以下に原画像（９）の画像構成について具体的に説明する。
【００８２】
前述のとおり、第一の実施の形態における各々の第１の原画像要素（１０−１）とは「￥」に似た棒状の図柄を指す。図９（ａ）に、第１の原画像（９−１−１）には、画像の中央上部に第１−１の原画像要素（１０−１−１（１））があり、第１−１の原画像要素（１０−１−１（１））に対して第１´の方向（Ｓ１´）に９度角度がずれた位置に、第１−２の原画像要素（１０−１−１（２））があり、同じく第１−２の原画像要素（１０−１−１（２））に対して第１´の方向（Ｓ１´）に９度角度がずれた位置に、第１−３の原画像要素（１０−１−１（３））があり、・・・、第１−ｍの原画像要素（１０−１−１（ｍ））がある（ｍは２以上の整数）。なお、これ以後、各々の原画像要素（１０−１）を示す場合、第Ｘ−Ｙの原画像要素（１０−１−Ｘ（Ｙ））と記載する。各々の第Ｘ−Ｙの原画像要素（１０−１−Ｘ（Ｙ））のＸの数字は、第Ｘの原画像（９−１−Ｘ）の中に含まれる原画像要素（１０−１）であることを指し、Ｙは、一つの原画像（９−１）の中の第１番目の原画像要素（１０−１−１）から第Ｙ番目に配置された原画像要素（１０−１）であることを指す。
【００８３】
ここで、一つの原画像（９）の中で第１´の方向及び第１´の方向と正反対の方向において、最も近くに存在する原画像要素（１０−１）同士の関係を「隣接した関係」と呼ぶ。
【００８４】
具体的には、第１−２の原画像要素（１０−１−１（２））は、第１−１の原画像要素（１０−１−１（１））及び第１−３の原画像要素（１０−１−１（３））と隣接した関係にある。第一の実施の形態においては、各々の原画像要素（１０−１）同士の配置角度が異なって配置したが、位相、形状及び大きさのいずれか一つが異なっていてもよい。
【００８５】
本発明では、原画像要素（１０）において「位相、配置角度、形状及び大きさの少なくともいずれか一つが異なる」形状を「略相似である形状」、すなわち「略相似形状」と定義する。これら、隣接した原画像要素（１０）が略相似形状である画像の構成は、モアレ拡大現象を用いた動画効果で出現する拡大モアレが各々略相似形状である画像の構成に倣った構成である。
【００８６】
以上の構成を適用することで、画線構成は、パラパラ漫画方式の動画効果と同じであって、原画像（９）の画像の構成は、モアレ拡大現象を利用した動画形態と同じである一つの潜像画像（５）を形成することができる。加えて、本発明においては、複数の潜像画像（５）に連続してスムーズに変化する動画としての繋がりを与えるために、全ての原画像要素（１０）に対し、以下に説明する構成が必要となる。
【００８７】
印刷画像（３）の領域から外れて原画像要素（１０）が見切れている場合や、出現や消失のために原画像要素（１０）に対して特殊な画像処理を施している場合を除いて、各々の原画像（９）の中には、基本的に同じ数の原画像要素（１０）が存在する。そして隣り合う原画像（９）において、略相似形状の原画像要素（１０）が配置されて成る。
【００８８】
この隣り合う原画像（９）において、略相似形状の原画像要素（１０）同士の関係を「対応した関係」と呼ぶ。各々対応した関係で配置された互いの原画像要素（１０）同士は、先に説明した隣接した関係の原画像要素（１０）同士と同様に、位相、配置角度、形状及び大きさの少なくともいずれか一つが異なる。
【００８９】
加えて、隣り合って配置される原画像（９）間では、他の全ての原画像要素（１０）よりも、対応した関係で配置された原画像要素（１０）同士は、配置角度、形状及び大きさの少なくともいずれか一つが異なるものの、他の全ての原画像要素（１０）と比較して、その異なる割合が小さい。すなわち、隣り合う原画像（９）間で対応した関係で配置された原画像要素（１０）同士は、隣接した関係の原画像要素（１０）同士を含む、他の原画像要素（１０）全てと比較して、最も近い角度であったり、最も近い形状をしている必要がある。このように、他の原画像要素（１０）全てと比較して、最も近い位置にあったり、最も近い角度にあったり、最も近い形状をしていることを、「最も近似した略相似形状である」と定義する。
【００９０】
そして、第１−１の原画像（９−１）における任意の第１−ｉの原画像要素（１０−１−１（ｉ））は、第１−２の原画像（９−１−２）において、対応した関係で配置された第２−ｉの原画像要素（１０−１−２（ｉ））と最も近似した略相似形状であり、第１−２の原画像（９−１−２）の第２−ｉの原画像要素（１０−１−２（ｉ））は、同時に第１−３の原画像（９−１−３）において、対応した関係で配置された第３−ｉの原画像要素（１０−１−３（ｉ））と最も近似した略相似形状であり、・・・、第１−（ｍ−１）の原画像（９−１−（ｍ−１））の第（ｍ−１）−ｉの原画像要素（１０−１−（ｍ−１）（ｉ））は、同時に第１−ｍの原画像（９−１−ｍ）において、対応した関係で配置された第ｍ−ｉの原画像要素（１０−１−ｍ（ｉ））と最も近似した略相似形状である。
【００９１】
そして、第１−ｍの原画像（９−１−ｍ）において、対応した関係で配置された第ｍ−ｉの原画像要素（１０−１−ｍ（ｉ））は、第１−１の原画像（９−１−１）において第１−ｉの原画像要素（１０−１−１（ｉ））と隣接した、略相似形状の第１−（ｉ＋１）の原画像要素（１０−１−１（ｉ＋１））又は第１−（ｉ−１）の原画像要素（１０−１−１（ｉ−１）と最も近似した略相似形状である。
【００９２】
ここで重要なことは、任意の第１−ｉの原画像要素（１０−１−１（ｉ））は、第１−１の原画像（９−１−１）から第１−ｍの原画像（９−１−ｍ）まで対応する関係の原画像要素（１０−１）を有するが、第１−ｍの原画像（９−１−ｍ）の第ｍ−ｉの原画像要素（１０−１−ｍ（ｉ））は、再び同じ第１−１の原画像（９−１−１）の第１−ｉの原画像要素（１０−１−１（ｉ））に対応する関係となるのではなく、第１−ｉの原画像要素（１０−１−１（ｉ））と隣接する関係にあって略相似形状の第１−（ｉ＋１）の原画像要素（１０−１−１（ｉ＋１））又は第１−（ｉ−１）の原画像要素（１０−１−１（ｉ−１））に対応する関係となる。
【００９３】
本発明において、任意の第１−ｉの原画像要素（１０−１−１（ｉ））が、第１−１の原画像（９−１−１）から第１−ｍの原画像（９−１−ｍ）まで対応する関係の原画像要素（１０−１）を有し、第１−ｍの原画像（９−１−ｍ）の第ｍ−ｉの原画像要素（１０−１−ｍ（ｉ））が、再び同じ第１−１の原画像（９−１−１）の第１−ｉの原画像要素（１０−１−１（ｉ））に対応する関係となることを「円環状の循環構成」と定義し、任意の第１−ｉの原画像要素（１０−１−１（ｉ））が、第１−１の原画像（９−１−１）から第１−ｍの原画像（９−１−ｍ）まで対応する関係の原画像要素（１０−１）を有し、第１−ｍの原画像（９−１−ｍ）の第ｍ−ｉの原画像要素（１０−１−ｍ（ｉ））が、第１−ｉの原画像要素（１０−１−１（ｉ））と隣接する関係にあって略相似形状の第１−（ｉ＋１）の原画像要素（１０−１−１（ｉ＋１））又は第１−（ｉ−１）の原画像要素（１０−１−１（ｉ−１））に対応する関係となることを「螺旋状の循環構成」と定義する。本発明の全ての原画像要素（１０−１）は、螺旋状の循環構成で配置されることを最大の特徴とする。
【００９４】
簡潔にイメージで説明すると、第１−ｉの原画像要素（１０−１−１（ｉ））は、第１−１から第１−ｍまでの原画像（９−１−１、・・・９−１−ｍ）を一巡して再び第１−１の原画像（９−１−１）に戻った場合に、第１−（ｉ−１）の原画像要素（１０−１−１（ｉ−１））又は第１−（ｉ＋１）の原画像要素（１０−１−１（ｉ＋１））となる。そして再び、第１−１から第１−ｍまでの原画像（９−１−１、・・・９−１−ｍ）を一巡して再び第１−１の原画像（９−１−１）に戻った場合に、第１−（ｉ−２）の原画像要素（１０−１−１（ｉ−２））又は第１−（ｉ＋２）の原画像要素（１０−１−１（ｉ＋２））となる。
【００９５】
図９（ｂ）で具体的に説明すると、第１−１の原画像（９−１−１）における第１−１の原画像要素（１０−１−１（１））は、第１−２の原画像（９−１−２）の第１−２の原画像要素（１０−１−２（１））と対応した関係で配置され、第１−２の原画像（９−１−２）の第１−２の原画像要素（１０−１−２（１））は、第１−３の原画像（９−１−３）の第１−３の原画像要素（１０−１−３（１））と対応した関係で配置され、第１−３の原画像（９−１−３）の第１−３の原画像要素（１０−１−３（１））は、第１−４の原画像（９−１−４）の第１−４の原画像要素（１０−１−４（１））と対応した関係で配置され、第１−４の原画像（９−１−４）の第１−４の原画像要素（１０−１−４（１））は、第１−５の原画像（９−１−５）の第１−５の原画像要素（１０−１−５（１））と対応した関係で配置された構成を有する。そして、第１−５の原画像（９−１−５）の第１−５の原画像要素（１０−１−５（１））は、第１の原画像（９−１−１）の第１−２の原画像要素（１０−１−１（２））と対応した関係で配置されている。
【００９６】
各々の原画像（９）において原画像要素（１０）の関係を閉じられた円環状の循環構成とするのではなく、変化し続ける螺旋状の循環構成を適用することによって、従来の循環型の動画効果のように対の動きを必要とせずに、全ての原画像要素（１０）が印刷画像（３）中で留まることなく一定の方向に変化し続ける動画効果を得ることができる。
【００９７】
以上が、本発明の原画像（９）を構成する上での最大の特徴であり、すなわち原画像（９）を略相似形状の複数の原画像要素（１０）の集合から構成し、螺旋状の循環し、かつ、対応した関係で配置された原画像要素（１０）を最も近似した略相似形状に設計することについての説明である。この対応する関係にある原画像要素（１０）同士を、必ず最も近似した略相似形状とすることは、動画効果を奏するパラパラ漫画方式の分断画線の集合体の構造と、モアレ拡大現象によって出現する画像の構成を融合させるために不可欠な構成である。
【００９８】
よって、本発明の各々の潜像画像（５）の特徴とは、基本的な画線構成については、パラパラ漫画方式の動画効果を実現するための分断画線の集合体の構造を有するが、一方で原画像（９）の基本的な画像の構成は、モアレ拡大現象によって生じる拡大モアレの構成と同様に、隣接する原画像要素（１０）を一定の規則に従って複数配置した構成（本発明においては略相似形状の構成）とし、そして最後に、対応した関係で配置された原画像要素（１０）を最も近似した略相似形状とすることで二つの技術を動画として無理なく結びつけたことにある。結果としてパラパラ漫画方式の動画形態の画線構成とモアレ拡大現象の動画形態の画像の構成を組み合わせた動画とすることで、二つの技術の各々の長所を無理なく融合させたものである。
【００９９】
以上のように、原画像（９）が複数の原画像要素（１０）の集合から成り、対応した関係で配置された原画像要素（１０）が最も近似した略相似形状である画線構成で原画像（９）を構成すると、結果として全ての原画像（９）は、目視上いずれも似通った画像となり、原画像（９）間の違いをほとんど認識できず、各々区別がつかない。このため、仮にいずれか一つの原画像（９）が再生されなかったとしても、いずれの原画像（９）が再生されなかったかを観察者が判断することは極めて難しい。
【０１００】
一方、蒲鉾状画線（６）の上に重なった潜像画線（８）が再生されて動画効果が発現した場合、原画像（９）中の全ての原画像要素（１０）が対の動きを必要とすることなく、傾ける方向を途中で変えないことを前提として一定方向にのみ回転したり、一定の方向性を有して大きさや形状が変化したりする効果が延々とループすることから、従来の循環型の動画効果と比較してよりスムーズな動画効果を実現でき、より容易に観察者は、動画効果を認識することができる。
【０１０１】
このように、本発明の原画像（９）の構成を用いると、画像全体のデザインや動き自体のデザインにおいて制約が生じるものの、認識しやすい動画効果が生じる上、いずれかの原画像（９）が再生されなかったとしても観察者がその差異を認識できない、安定した品質を担保できる。
【０１０２】
ここで、本発明の略相似形状に関する具体的な数値について以下に述べる。ここでは、対応した関係にある原画像要素（１０）における最も近似した略相似形状の関係を満たす、原画像要素（１０）間の位相、大きさ、配置角度等の差異の具体的な数値について記載する。
【０１０３】
印刷画像（３）のサイズにも影響するが、例えば、３０ｍｍ×３０ｍｍ以下の印刷画像（３）を設計すると仮定すると、位相が変化したり、角度が変化したり、大きさが変化するといったいかなる変化であっても、まず大前提として対応する原画像要素（１０−１）の変化の大きさがいずれの部分においても３ｍｍを越えてはならない。３ｍｍを越える場合には、動きの変化が大きすぎてスムーズな動きとは認識されないためである。さらに、２ｍｍ以下とすることが好ましい。
【０１０４】
個別の例について説明すると、前述の動きの大きさを３ｍｍ以下とすることを満足することが大前提であることに加えて、第１´の方向（Ｓ１´）に位相が変化する場合、対応する関係にある原画像要素（１０）間の第１´の方向（Ｓ１´）への位相のずれは、原画像要素（１０）の第１´の方向（Ｓ１´）の長さ以下の距離で設計することが好ましく、よりスムーズな動画効果を実現するためには、第１´の方向（Ｓ１´）の長さの５０％以下とすることがより好ましい。
【０１０５】
大きさの変化に関しては、約３ｍｍ×３ｍｍ以下の極端に小さな原画像要素（１０）を構成するのでなければ、対応する関係にある原画像要素（１０）間の大きさの違いは、７０〜１３０％の間に留めることが好ましく、特に９０〜１１０％の違いに制限することがより好ましい。また、配置角度変化に関しては、対応する関係にある原画像要素（１０）間の配置角度差を２０度以内、さらに１０度以内とすることがより好ましい。
【０１０６】
略相似形状な形状の違いに関しては、最も近似した略相似形状の範囲を具体的に述べることは難しいが、形状が変化するには、物体の一部の位相や大きさ、配置角度等が単独に、又は同時に変化する必要があることを考慮すると、前述した位相や配置角度、大きさの好ましい範囲で成される形状変化であることが好ましいと言える。
【０１０７】
また、引用文献３（特許第５１３１７８９号公報）で示した「モアレ拡大現象」を利用して変化させることが可能な形状変化と同等な形状変化は実現可能であり、特許第５１３１７８９号公報に記載した技術で表現できる程度の形状変化の範囲であれば本技術を用いて実現可能である。これは、本発明における原画像（９）の画像の構成が、引用文献３の技術のモアレ拡大現象によって出現する画像の構成を利用した画像としているためである。形状変化における好ましくない具体例としては、図３３で用いた鳥の画像における、最も大きく羽根の開きが最大の大きさに達した原画像（Ａ−４）や、あるいは羽根の開きが最小である原画像（Ａ−１）のような形状の特徴が顕著に異なる画像を原画像（９）として設定してはならない。以上が、本発明における具体的な略相似形状の構成である。
【０１０８】
なお、図９（ａ）を用いて説明したように、原画像（９）は、複数の原画像要素（１０）から構成されていることから、原画像（９）を分断して成る潜像画線群（５）においては、各々の原画像（９）に対応した複数の原画像要素（１０）を分断して成る複数の潜像要素（１１）を有する。
【０１０９】
また、一つの原画像（９）において、隣接する原画像要素（１０）同士が互いに略相似形状であることから、原画像要素（１０）を分断することで構成される潜像要素（１１）においても、一つの潜像画線群（５）において、隣り合う潜像要素同士が互いに略相似形状となる。
【０１１０】
さらに、図９（ｂ）を用いて前述したように、隣り合う原画像（９）において、各々対応した関係で配置された原画像要素（１０）同士は、最も近似した略相似形状であることから、原画像（９）を分断することで構成した潜像画線群（５）を構成する潜像要素においても、隣り合う潜像画線群（５）において、各々対応した関係で配置された潜像要素同士は、最も近似した略相似形状となる。
【０１１１】
以上のような構成の原画像（９−１）を潜像画線（８−１）で分断化して潜像画線群（５−１−１、５−１−２、５−１−３、５−１−４、５−１−５）とし、図６に示すような構成で第一の潜像画像（５−１）を構成する。以上が、集合潜像画像（５）を構成する第一の潜像画像（５−１）の画線構成である。
【０１１２】
続いて、第一の実施の形態において、第一の潜像画像（５−１）とともに、集合潜像画像（５）を構成するもう一つの要素、第二の潜像画像（５−２）について説明する。
【０１１３】
図１０に示すように、第二の潜像画像（５−２）は、第２の方向（図中Ｓ２方向）の画線方向を有する五つの第２の潜像画線（８−２−１、８−２−２、８−２−３、８−２−４、８−２−５）が集合した特定の画線幅（Ｗ９）の第２の集合潜像画線（１２−２）が第１の方向（図中Ｓ１方向）に連続して特定のピッチ（Ｐ２）で万線状に配列されて形成されて成る。この第２の集合潜像画線（１２−２）の画線方向と配置ピッチは、対を成す積層関係にある第２の蒲鉾状画線群（４−２）を構成する画線である、第２の蒲鉾状画線（６−２）の画線方向（Ｓ２方向）と配置ピッチ（Ｐ２）と同じである必要がある。
【０１１４】
第２の集合潜像画線（１２−２）を構成する五つの第２の潜像画線（８−２）とは、Ｗ１０の画線幅を有する第２−１の潜像画線（８−２−１）、Ｗ１１の画線幅を有する第２−２の潜像画線（８−２−２）、Ｗ１２の画線幅を有する第２−３の潜像画線（８−２−３）、Ｗ１３の画線幅を有する第２−４の潜像画線（８−２−４）、Ｗ１４の画線幅を有する第２−５の潜像画線（８−２−５）である。
【０１１５】
第２の集合潜像画線（１２−２）の画線幅（Ｗ９）の値は、第２のピッチ（Ｐ２）以下であればよい。第一の実施の形態においては、第２の集合潜像画線（１２−２）の中には、五種類の潜像画線（８−２−１、８−２−２、８−２−３、８−２−４、８−２−５）が互いに重なり合うことなく配置されて成る。また、潜像画線間の空隙（非画線部）はあっても、なくてもよい。また、各々の画線幅（Ｗ１０、Ｗ１１、Ｗ１２、Ｗ１３、Ｗ１４）は同じであっても、異なっていてもよいのは、第１の集合潜像画線（１２−１）と同じである。
【０１１６】
図１１に、第二の潜像画像（５−２）を構成する第２−１の潜像画線群（７−２−１）、第２−２の潜像画線群（７−２−２）、第２−３の潜像画線群（７−２−３）、第２−４の潜像画線群（７−２−４）、第２−５の潜像画線群（７−２−５）を示す。これらの第２の潜像画線群（７−２）は、もともと図１１に示す第２−１の原画像（９−２−１）、第２−２の原画像（９−２−２）、第２−３の原画像（９−２−３）、第２−４の原画像（９−２−４）、第２−５の原画像（９−２−５）を基とし、これらの第２の原画像（９−２）を加工することによって成るのは、第一の潜像画像（５−１）と同じである。
【０１１７】
これらの五種類の第２の潜像画線群（７−２）から、代表として第２−１の潜像画線群（７−２−１）を拡大して図１２に示す。第２−１の潜像画線群（７−２−１）は、第２の方向（Ｓ２方向）の特定の画線幅（Ｗ１０）の第２−１の潜像画線（８−２−１）が、特定のピッチ（Ｐ２）で第１の方向（Ｓ１方向）に連続して配置されて成る。すなわち、各々の第２の潜像画線群（７−２−１、７−２−２、７−２−３、７−２−４、７−２−５）は、各々の第２の原画像（９−２−１、９−２−２、９−２−３、９−２−４、９−２−５）に対して、各々の第２の潜像画線（８−２−１、８−２−２、８−２−３、８−２−４、８−２−５）で分断した画線構成を有するのは、第一の潜像画像（５−１）と同じである。
【０１１８】
各々の第２の潜像画線群（７−２−１、７−２−２、７−２−３、７−２−４、７−２−５）は、図１１に示すとおり、各々複数の小さな円が円環状に集まった第２の原画像（９−２）から成る。各々の第２の原画像（９−２）の中の円の配置は、画像中央の回転中心（Ｏ）を基準として時計回りの第２´の方向（図中Ｓ２´方向）に角度が４．５度ずつ異なる。
【０１１９】
また、図１３に示すとおり、第一の潜像画像（５−１）と同様に、原画像（９−２）全体がループする循環構成を有する。例えば、第２−１の原画像（９−２−１）→第２−２の原画像（９−２−２）→第２−３の原画像（９−２−３）→、・・・、→第２−ｎの原画像（９−２−ｎ）を１サイクルとした画像の繋がりを有し、かつ、終点となる第２−ｎの原画像（９−２−ｎ）が、始点となる第２−１原画像（９−２−１）と連続した画像として繋がる構成を有する。
【０１２０】
ここで本発明の特徴である、集合蒲鉾状画線群（４）と集合潜像画像（５）の刷り合わせがずれた場合でも、刷り合わせに依存せず、正反射光下でスムーズなパラパラ漫画方式の動画効果を生じさせるための、原画像（９Ｂ）の構成上の特徴について説明する。
【０１２１】
図１４（ａ）に第２−１の原画像（９−２−１）を拡大して示す。第一の潜像画像（５−１）と同様に、全ての第２の原画像（９−２）は、第２の原画像（９−２）を構成する最小単位である第２の原画像要素（１０−２）の集合によって構成されて成る。第一の実施の形態の第二の潜像画像（５−２）における第２の原画像要素（１０−２）とは、小さな円の一つ、一つを指し、図１４（ａ）に示すように１６個の第２の原画像要素（１０−２）から成る。
【０１２２】
第二の潜像画像（５−２）においても、図１４に示すように各々に共通する画像要素である第２の原画像要素（１０−２−１、１０−２−２、１０−２−３、・・・、１０−２−ｎ）の集合によって全ての第２の原画像（９−２）を構成し、各々の第２の原画像要素（１０−２）が配置角度、形状及び大きさのうちの、少なくともいずれか一つが異なる関係を有して全ての第２の原画像（９−２）において循環する構成を有する。
【０１２３】
第二の潜像画像（５−２）においても、第一の潜像画像（５−１）と同様に、隣接した関係にある第２の原画像要素（１０−２）同士は略相似形状であり、また、隣り合う第２の原画像（９−２）において、対応する関係にある第２の原画像要素（１０−２）同士は最も近似した略相似形状である。すなわち、第二の潜像画像（５−２）においても、第一の潜像画像（５−１）と同様に、各々の第２の原画像（９−２）において第２の原画像要素（１０−２）の関係が変化し続ける螺旋状の循環構成を適用する。
【０１２４】
図１４（ｂ）で具体的に説明すると、第２−１の原画像（９−２−１）における第２−１−１の原画像要素（１０−２−１（１））を基準として、第２−２の原画像（９−２−２）の第２−２−１の原画像要素（１０−２−２（１））は、第２−１の原画像（９−２−１）における第２−１−１の原画像要素（１０−２−１（１））と対応した関係で配置され、最も近似した略相似形状（回転中心（Ｏ）を基準に時計回りに４．５度回転）を有する。第２−３の原画像（９−２−３）の第２−３−１の原画像要素（１０−２−３（１））は、第２−２の原画像（９−２−２）の第２−２−１の原画像要素（１０−２−２（１））と対応した関係で配置され、最も近似した略相似形状（回転中心（Ｏ）を基準に時計回りに４．５度回転）を有する。第２−４の原画像（９−２−４）の第２−４−１の原画像要素（１０−２−４（１））は、第２−３の原画像（９−２−３）の第２−３−１の原画像要素（１０−２−３（１））と対応した関係で配置され、最も近似した略相似形状（回転中心（Ｏ）を基準に時計回りに４．５度回転）を有する。第２−５の原画像（９−２−５）の第２−５−１の原画像要素（１０−２−５（１））は、第２−４の原画像（９−２−４）の第２−４−１の原画像要素（１０−２−４（１））と対応した関係で配置され、最も近似した略相似形状（回転中心（Ｏ）を基準に時計回りに４．５度回転）を有する。そして、第２−１の原画像（９−２−１）の第２−１−２の原画像要素（１０−２−１（２））は、第２−５の原画像（９−２−５）の第２−５−１の原画像要素（１０−２−５（１））と対応した関係で配置され、最も近似した略相似形状（回転中心（Ｏ）を基準に時計回りに４．５度回転）を有する。
【０１２５】
このように、いわゆる螺旋状の循環構成を適用することは本発明の全ての潜像画像に共通である。以上が第二の潜像画像（５−２）の画線構成であり、第一の潜像画像（５−１）と合わせて集合潜像画像（５）を構成する。
【０１２６】
以上のように、異なる画線方向の潜像画線（８）によって構成された第一の潜像画像（５−１）及び第二の潜像画像（５−２）、すなわち集合潜像画像（５）は、各々に対して螺旋状の循環構成を適用することで、認識しやすい動画効果を生じさせ、かつ、刷り合わせずれが生じていずれかの原画像（９）が再生されなかったとしても観察者がその差異を認識できない、安定した品質を担保できる。
【０１２７】
集合潜像画像（５）は、正反射光下で蒲鉾状画線（６）が発する色彩と異なる色彩である必要がある。この特性は、正反射光下で潜像を一定のコントラストで可視化させるために必要となる特性である。ここで、第一の潜像画像（５−１）及び第二の潜像画像（５−２）の色彩が異なっていても何ら問題ない。
【０１２８】
また、集合潜像画像（５）は、拡散反射光下で不可視であることが好ましいため、透明や半透明であるか、あるいは淡い色彩であることが好ましい。本発明でいう半透明とは完全な透明ではないが、下地を完全に隠蔽しない程度の透過性を有する状態を指す。
【０１２９】
また、集合潜像画像（５）は、正反射光下において集合潜像画像（５）の下に存在する蒲鉾状画線（６）に光が入射するのを防ぎ、結果として印刷画像（３）内に反射光の強弱を作り出して原画像（９）を出現させる働きを成すために、低光沢（マット）であったり、光遮断性に優れる特性を有することが好ましい。なお、集合潜像画像（５）には、蒲鉾状画線（６）のような明暗フリップフロップ性やカラーフリップフロップ性は必須ではないが、これらの性質を備えていても問題ない。
【０１３０】
集合潜像画像（５）は、特に盛り上がりは必須ではなく平坦な構造でよいが、盛り上がりを有していてもよい。すなわち、オフセット印刷や凸版印刷、フレキソ印刷、グラビア印刷、凹版印刷やスクリ−ン印刷等で形成してもよく、インクジェットプリンタやレーザープリンタ等で形成しても問題ない。
【０１３１】
この集合潜像画像（５）を集合蒲鉾状画線群（４）の上に重ね合わせて潜像印刷物（１）が完成する。設計上最も適正な集合蒲鉾状画線群（４）と集合潜像画像（５）の重ね合わせの位置関係とは、図１５に示す関係であり、一つの第１の蒲鉾状画線（６−１）の上に、Ａ辺側から順に第１−１の潜像画線（８−１−１）、第１−２の潜像画線（８−１−２）、第１−３の潜像画線（８−１−３）、第１−４の潜像画線（８−１−４）、第１−５の潜像画線（８−１−５）が順に少なくとも一部重なり、また、一つの第２の蒲鉾状画線（６−２）に上から順に第２−１の潜像画線（８−２−１）、第２−２の潜像画線（８−２−２）、第２−３の潜像画線（８−２−３）、第２−４の潜像画線（８−２−４）、第２−５の潜像画線（８−２−５）が順に少なくとも一部重なった状態である。本発明では、全ての潜像画線（８）が、一つの蒲鉾状画線（６）の上に、第１の潜像画線（８−１）から第ｆの潜像画線（８−ｆ）と順に積層して配置された構成を「対応した積層配置」と定義する。以上が本願発明の潜像印刷物（１）の構成である。
【０１３２】
続いて、図１５に示すような集合蒲鉾状画線群（４）と集合潜像画像（５）を対応した積層配置とした重ね合わせの位置関係で、本発明の潜像印刷物（１）を形成した場合の最も基本的な効果を図１７に示す。なお、説明を簡潔にするために、第１の蒲鉾状画線群（４−１）と第一の潜像画像（５−１）が積層された領域のみについて説明するが、同様な効果は第２の蒲鉾状画線群（４−２）と第二の潜像画像（５−２）が積層された領域でも生じている。
【０１３３】
まず、図１７（ａ）は、第１の蒲鉾状画線群（４−１）と第一の潜像画像（５−１）の刷り合わせの位置関係が、ずれのない理想的な位置関係である場合を示す断面図である。各々の第１の蒲鉾状画線（６−１）上に、第１の集合潜像画線（１２−１）が積層されて成る。潜像印刷物（１）に光源から直接光が入射しない、いわゆる拡散反射光下で潜像印刷物（１）を観察した場合、いずれの原画像（９）も出現せず、単に印刷画像（３）が集合蒲鉾状画線群（４）の物体色で視認される（図示せず）。
【０１３４】
一方、正反射光下において図１７（ｂ）のようにＡ辺側が光源に向けて上がって傾いた状態で観察した場合、印刷画像（３）中に第１の原画像（９−１−１）を表す第１−１の潜像画線群（７−１−１）が表す画像が出現する。この場合、第１−１の潜像画線群（７−１−１）は、集合潜像画像（５）の正反射光下における色彩で、その他の背景となる印刷画像（３）全体は、集合蒲鉾状画線群（４）の正反射光下の色彩となる。
【０１３５】
また、潜像印刷物（１）を図１７（ｂ）から図１７（ｃ）の角度へと徐々に変化させると、印刷画像（３）中から第１−１の潜像画線群（７−１−１）が消失して、第１−２の潜像画線群（７−１−２）が出現する。そして、より角度を大きく変化させると第１−２の潜像画線群（７−１−２）が消失して、第１−３の潜像画線群（７−１−３）が出現する。
【０１３６】
第１−１の潜像画線群（７−１−１）と第１−２の潜像画線群（７−１−２）、第１−３の潜像画線群（７−１−３）とは、各々の第１の原画像要素（１０−１）によって構成された雪の結晶が第１´の方向（図中Ｓ１´方向）に９度回転した関係にあることから、第１−１の潜像画線群（７−１−１）から第１−２の潜像画線群（７−１−２）、第１−３の潜像画線群（７−１−３）へと画像がチェンジすることによって、雪の結晶は、第１´の方向（Ｓ１´）に回転しているように見える。
【０１３７】
続いて、潜像印刷物（１）を図１７（ｃ）から図１７（ｄ）の角度へ変化させると、印刷画像（３）中の第１−３の潜像画線群（７−１−３）が消失して、第１−４の潜像画線群（７−１−４）が出現する。そして、より角度を大きく変化させると第１−４の潜像画線群（７−１−４）が消失して、第１−５の潜像画線群（７−１−５）が出現する。第１−３の潜像画線群（７−１−３）と第１−４の潜像画線群（７−１−４）の関係、及び第１−４の潜像画線群（７−１−４）と第１−５の潜像画線群（７−１−５）の関係も第１´の方向（Ｓ１´）に９度ずつ回転した関係にあることから、雪の結晶はスムーズに第１´の方向（Ｓ１´）に回転して見える。なお、理想的な光源の状態で観察した場合には、第１−５の潜像画線群（７−１−５）が出現した後に角度を同じ方向に傾けると、再び第１−１の潜像画線群（７−１−１）が出現し、２サイクル目の動画が再生される。
【０１３８】
なお、このとき第２の蒲鉾状画線群（４−２）と第二の潜像画像（５−２）が重なった領域においても変化が生じる。図１５の刷り合わせの場合、図１７に示したＬ１方向から入射光に対して、第二の潜像画像（５−２）において第２−１の潜像画線群（７−２−１）から第２−５の潜像画線群（７−２−５）が順に再生される。各々隣り合う潜像画線群においては、各々の第２の原画像要素（１０−１）である小さな円が第２´の方向（図中Ｓ２´方向）に２．５度回転した関係にあることから、第２−１の潜像画線群（７−２−１）から順に第２−５の潜像画線群（７−２−５）へと画像がチェンジすることによって、小さな円は、第２´の方向（Ｓ２´）に回転しているように見える。
【０１３９】
以上のように、図１５の適正な位置関係で構成された本発明の潜像印刷物（１）を正反射光下で傾けて観察した場合、第１の蒲鉾状画線群（４−１）上に出現した雪の結晶は、第１´の方向（Ｓ１´方向）へ、第２の蒲鉾状画線群（４−２）上に出現した小さな円は、第２´の方向（Ｓ２´方向）へと、各々逆方向に回転する、パラパラ漫画方式の動画効果が生じる。
【０１４０】
なお、本発明で言う「正反射」とは、物質にある入射角度で光が入射した場合に、入射した光の角度と略等しい角度に強い反射光が生じる現象を指し、「拡散反射」とは、物質にある入射角度で光が入射した場合に、入射した光の角度と異なる角度に弱い反射光が生じる現象を指す。例えば、虹彩色パールインキを例とすると、拡散反射の状態では無色透明に見えるが、正反射した状態では特定の干渉色を発する。また、「正反射光下で観察する」とは、印刷物に入射した光の角度と略等しい反射角度に視点をおいて観察する状態を指し、「拡散反射光下で観察する」とは、印刷物に入射した光の角度と大きく異なる角度で観察する状態を指す。
【０１４１】
以上の効果が生じる原理について説明する。まず、拡散反射光下では、集合蒲鉾状画線群（４）及び集合潜像画像（５）に直接入射する光が存在せず、強い正反射光を発することがないことから、集合蒲鉾状画線群（４）と集合潜像画像（５）間に色差が生じることがない。そのため拡散反射光下では、集合潜像画像（５）は、完全に不可視か、ほぼ不可視である。なお、説明を簡潔にするために、第１の蒲鉾状画線群（４−１）に重なった集合潜像画像（５）のうち第一の潜像画像（５−１）のある領域について説明し、第二の潜像画像（５−２）のある領域については、説明を省略する。
【０１４２】
一方、正反射光下においては、第１の蒲鉾状画線群（４−１）の有する光学特性である明暗フリップフロップ性、あるいはカラーフリップフロップ性によって色彩が大きく変化するために、第１の蒲鉾状画線群（４−１）と集合潜像画像（５−２）との間に大きな色差が生じ、集合潜像画像（５−１）が可視化される。ただし、各々の第１の蒲鉾状画線（６−１）は、盛り上がりを有しているため、第１の蒲鉾状画線群（４−１）全体が一斉に光を反射することはなく、第一の潜像画像（５−１）全体が一度に可視化されることはない。
【０１４３】
正反射光下においては、第１の蒲鉾状画線（６−１）の画線表面のうち、入射した光と直交する画線表面だけが強く光を反射し、その領域だけ第１の蒲鉾状画線群（４−１）と第１の潜像画線群（５−１）との間に大きな色差が生じる。結果として入射した光と直交した第１の蒲鉾状画線群（４−１）の画線表面の上に重ねられた第１の潜像画線（８−１−１）のごく一部の画像情報のみがサンプリングされ、可視化されることとなる。
【０１４４】
以上のことから、正反射光下において図１７（ｂ）のように、潜像印刷物（１）のＡ辺側が光源に近付いて傾いた状態の潜像印刷物（１）を観察した場合、第１の蒲鉾状画線（６−１）の画線表面のうちの、入射光と直交する角度を成すＡ辺側の画線表面が強く光を正反射し、その上に存在する第一の潜像画像（５−１）の画像情報のみがサンプリングされて可視化される。この例において、第１の蒲鉾状画線（６−１）の上のＡ辺側の画線表面に重なっているのは第１−１の潜像画線（８−１−１）であるため、印刷画像（３）全体で第１−１の潜像画線（８−１−１）全てがサンプリングされて、第１−１の潜像画線群（７−１−１）が出現する。これが、正反射光下の図１７（ａ）の観察角度で第１−１の潜像画線群（７−１−１）が出現した原理である。
【０１４５】
次に、正反射光下において図１７（ｂ）の状態から図１７（ｃ）の状態まで潜像印刷物（１）を徐々に傾けた場合、光源から入射する光と潜像印刷物（１）との角度の関係が変化することから第一の潜像画像（５−１）の情報が、Ａ辺側から第１の蒲鉾状画線（６−１）の頂点へ向かってサンプリングされる。第１の蒲鉾状画線（６−１）のＡ辺側にある画線とは、第１−１の潜像画線（８−１−１）であり、その隣に第１−２の潜像画線（８−１−２）、第一の潜像画像（５−１）の中心近くには、第１−３の潜像画線（８−１−３）が存在する。このため、正反射光下で潜像印刷物（１）の傾きを図１７（ｂ）の状態から図１７（ｃ）の状態まで変化させた場合、第一の潜像画像（５−１）の情報がＡ辺側から頂点側（画線中心）へ向かってサンプリングされることで、第１−１の潜像画線群（７−１−１）から第１−２の潜像画線群（７−１−２）にチェンジし、その後、第１−２の潜像画線群（７−１−２）から第１−３の潜像画線群（７−１−３）へとチェンジする。
【０１４６】
次に、正反射光下において図１７（ｃ）の状態から図１７（ｄ）の状態まで潜像印刷物（１）を徐々に傾けた場合、第一の潜像画像（５−１）の情報が第１の蒲鉾状画線（６−１）の頂点からＡ’辺側へ向かってサンプリングされる。第一の潜像画像（５−１）の頂点（中心）近辺にある画線とは、第１−３の潜像画線（８−１−３）であり、Ａ辺側へかけて第１−４の潜像画線（８−１−４）、第１−５の潜像画線（８−１−５）が存在する。このため、正反射光下で潜像印刷物（１）の傾きを図１７（ｃ）の状態から図１７（ｄ）の状態まで変化させた場合、第一の潜像画像（５−１）の情報が頂点（中心）からＡ’辺側へ向かってサンプリングされることで、第１−３の潜像画線群（７−１−３）から、第１−４の潜像画線群（７−１−４）にチェンジし、その後、第１−４の潜像画線群（７−１−４）から第１−５の潜像画線群（７−１−５）へと画像がチェンジする。
【０１４７】
各々の第１の潜像画線群（７−１）は、対応した関係で配置された第１の潜像要素（１１）同士が略相似形状な関係に構成されて成ることから、結果としてわずかな角度変化で、第１−１の潜像画線群（７−１−１）、第１−２の潜像画線群（７−１−２）、第１−３の潜像画線群（７−１−３）、第１−４の潜像画線群（７−１−４）、第１−５の潜像画線群（７−１−５）と順次チェンジすることで、各々の潜像要素の略相似形状な関係に応じた動画効果を生じる。
【０１４８】
第一の実施の形態においては、各々の第１の潜像画線群（７−１）において、各々の対応した関係で配置された第１の潜像要素（１１）同士が、螺旋状の循環構成で配置され、第１´の方向（Ｓ１´）に位相がずれた状態の略相似形状であることから、出現した第１の潜像画線群（７−１）が次々にチェンジすることで、第１の潜像要素（１１）がスムーズに第１´の方向（Ｓ１´）に回転する動画効果が生じるものである。
【０１４９】
以上が、正反射光下のある特定の観察角度において、印刷画像（３）の中に各々の第１の潜像画線群（７−１）が単独で出現し、観察角度を変えることで印刷画像（３）の中の潜像要素に動画効果が生じる原理である。
【０１５０】
本願発明の潜像印刷物（１）の特徴的な効果として、「集合蒲鉾状画線群（４）と集合潜像画像（５）の刷り合わせがずれても、目視上同じ動画効果が発現すること」と、「入射する光の方向が変化することによって、各々異なる蒲鉾状画線群（４−１、４−２）に出現した画像の動きの方向の相対的な関係が変化すること」があるが、まず、はじめに「集合蒲鉾状画線群（４）と集合潜像画像（５）の刷り合わせがずれても、目視上同じ動画効果が発現すること」を中心に説明する。
【０１５１】
なお、説明を簡潔にするために、第１の蒲鉾状画線群（４−１）と第一の潜像画像（５−１）の重ね合わせの位置関係を中心に説明するため、これ以後、第１の蒲鉾状画線群（４−１）と第一の潜像画像（５−１）の重ね合わせの位置関係が変化するが、第１の蒲鉾状画線群（４−１）と第一の潜像画像（５−１）の重ね合わせの位置関係は、変化しない条件で説明する。すなわち、ここでは、第２の方向（Ｓ２方向）にのみ刷り合わせずれが生じた仮定で説明する。また、図１７、図１８においては、光は図１６に示すＬ１の方向のみから入射することとする。  
【０１５２】
第１の蒲鉾状画線群（４−１）と第一の潜像画像（５−１）の刷り合わせの位置関係が図１５に示した理想的な位置関係からずれた場合における効果について説明する。図１８に示すのは、図１５及び図１７に示した第１の蒲鉾状画線群（４−１）と第一の潜像画像（５−１）の刷り合わせの位置関係からずれが生じ、図１８（ａ）に示すように、第１の蒲鉾状画線（６−１）と第１の蒲鉾状画線（６−１）の間にある非画線部に、第１−３の潜像画線（８−１−３）が完全に嵌った例である。この例において、第１−３の潜像画線（８−１−５）は、いずれの第１の蒲鉾状画線（６−１）の上にも重なっていない。
【０１５３】
図１８（ａ）の第１の蒲鉾状画線群（４−１）と第一の潜像画像（５−１）の刷り合わせの位置関係では、図１８（ｂ）のように、Ａ辺側が光源に向けて上がって傾いた状態で観察した場合、まず、印刷画像（３）中に第１−４の潜像画線群（７−１−４）が出現する。また、潜像印刷物（１）を図１８（ｂ）から図１８（ｄ）の角度へと徐々に変化させると、印刷画像（３）中から第１−４の潜像画線群（７−１−４）が消失して、第１−５の潜像画線群（７−１−５）にチェンジし、傾きを大きくすることによって第１−１の潜像画線群（７−１−１）、第１−２の潜像画線群（７−１−２）へと次々とチェンジする。
【０１５４】
その結果、観察者は、図１７に示した例と同様に、出現した雪の結晶が反時計回りにスムーズに移動する動画効果を認識できる。この図１８の形態においては、第１−３の潜像画線群（７−１−３）は出現しないが、前述のとおり、本発明においては、全ての第１の潜像画線群（７−１）が複数の第１の潜像要素（１１）の集合から成り、対応した関係で配置された第１の潜像要素（１１）が、最も近似した略相似形状である画線構成で第１の潜像画線群（７−１）が構成されたことで、全ての第１の潜像画線群（７−１）は、目視上いずれも似通った画像となり、各々の第１の潜像画線群（７−１）間の違いをほとんど認識できず、各々区別がつかない。
【０１５５】
よって、図１８のように、第１の蒲鉾状画線群（４−１）と第一の潜像画像（５−１）との刷り合わせがずれた場合でも、図１７に示した刷り合わせが適正な状態の潜像印刷物（１）との間に認識できる程度に動画効果の明確な差異は生じないため、観察者は、図１８に示した潜像印刷物（１）と、図１７に示した潜像印刷物（１）とで視認された動画効果の違いに気が付くことはない。なお、この説明では、第１の蒲鉾状画線群（４−１）と第一の潜像画像（５−１）の刷り合わせずれ、すなわち第２の方向（Ｓ２方向）のずれだけに関して説明したが、当然のことながら、第２の蒲鉾状画線群（４−２）と第二の潜像画像（５−２）の刷り合わせずれ、すなわち第１の方向（Ｓ１方向）のずれが生じても同じ効果が生じる。また、第２の方向（Ｓ２方向）のずれ、及び第１の方向（Ｓ１方向）のずれが同時に生じた場合でも、目視上同じ動画効果が生じる効果は担保できる。
【０１５６】
以上のように、本発明の潜像印刷物（１）においては、集合蒲鉾状画線群（４）と集合潜像画像（５）の刷り合わせの位置関係に関係なく、出現した潜像要素が略相似形状に変化する動画効果を認識できる。そして、仮に全ての第１の潜像画線群（７−１）の中の一部が出現しなかったとしても、その動画効果の違いを認識することができない。よって、集合蒲鉾状画線群（４）と集合潜像画像（５）の刷り合わせの位置関係に関係なく、目視上同じ動画効果が認識される効果が生じる。これは従来の循環型の動画効果にはなかった、モアレ拡大現象を利用した動画効果の利点である。
【０１５７】
第一の実施の形態における動画効果は、潜像要素が第１´の方向（Ｓ１´）に回転するとともに、第４の方向に移動する効果であったが、本発明の潜像印刷物（１）における動画効果はこれに限定されるものではない。潜像要素が平行に移動したり、回転したり、回転しながら移動したり、大きさが変化したり、形状が変化する等、対応した関係で配置された潜像要素同士が略相似形状の関係を維持しながら変化できる範囲の変化であれば、いかなる動画表現であっても実現できる。これは従来のモアレ拡大現象を利用した動画効果にはなかった、パラパラ漫画方式の動画効果の利点である。
【０１５８】
続いて、本願発明の潜像印刷物（１）の特徴的なもう一つの効果である「入射する光の方向が変化することによって、各々異なる蒲鉾状画線群（４−１、４−２）に出現した画像の動きの方向の相対的な関係が変化すること」について説明する。
【０１５９】
集合蒲鉾状画線群（４）と集合潜像画像（５）が、図１５に示す重ね合わせの位置関係で形成されたと仮定して説明する。また、潜像印刷物（１）は、全て同じ方向に傾けることとする。まず、印刷画像（３）に入射する光の方向がＬ１である場合、Ｌ２である場合、Ｒ１である場合、Ｒ２である場合、各々の場合における第一の潜像画像（５−１）と第二の潜像画像（５−２）の各々の潜像要素の回転方向について、図１９から図２１に示す。
【０１６０】
Ｌ１方向から光が入射した場合、第一の潜像画像（５−１）の第１の潜像要素（１１−１）は、第１´の方向（Ｓ１´）に回転し、第二の潜像画像（５−２）の第２の潜像要素（１１−２）は、第２´の方向（Ｓ２´）に回転した。Ｌ１方向からの入射光に対して、第一の潜像画像（５−１）と第二の潜像画像（５−２）の各々の潜像要素（１１）は、逆方向に回転する。
【０１６１】
Ｌ２方向から光が入射した場合、第一の潜像画像（５−１）の第１の潜像要素（１１−１）は、第１´の方向（Ｓ１´）に回転し、第二の潜像画像（５−２）の第２の潜像要素（１１−２）は、第１´の方向（Ｓ１´）に回転した。Ｌ２方向からの入射光に対して、第一の潜像画像（５−１）と第二の潜像画像（５−２）の各々の潜像要素（１１）は、同じ方向に回転する。
【０１６２】
Ｒ１方向から光が入射した場合、第一の潜像画像（５−１）の第１の潜像要素（１１−１）は、第２´の方向（Ｓ２´）に回転し、第二の潜像画像（５−２）の第２の潜像要素（１１−２）は、第２´の方向（Ｓ２´）に回転した。Ｒ１方向からの入射光に対して、第一の潜像画像（５−１）と第二の潜像画像（５−２）の各々の潜像要素（１１）は、同じ方向に回転する。
【０１６３】
Ｒ２方向から光が入射した場合、第一の潜像画像（５−１）の第１の潜像要素（１１−１）は、第２´の方向（Ｓ２´）に回転し、第二の潜像画像（５−２）の第２の潜像要素（１１−２）は、第１´の方向（Ｓ１´）に回転した。Ｒ１方向からの入射光に対して、第一の潜像画像（５−１）と第二の潜像画像（５−２）の各々の潜像要素（１１）は、逆方向に回転する。
【０１６４】
第一の潜像画像（５−１）と第二の潜像画像（５−２）における各々の潜像要素（１１）は、傾ける方向を変化させると、当然のことながら回転方向は逆転する。しかし、従来の技術であれば、ある方向に潜像印刷物（１）を傾けて、第一の潜像画像（５−１）と第二の潜像画像（５−２）の潜像要素（１１）が同じ方向に回転したならば、傾ける方向を逆方向に変化させたとしても、両方の潜像要素が各々逆方向に回転するだけで、第一の潜像画像（５−１）と第二の潜像画像（５−２）の潜像要素（１１）が同じ方向に回転するという動きの方向の相対的な関係は変化しなかった。しかしながら、本発明の潜像印刷物（１）においては、第一の潜像画像（５−１）と第二の潜像画像（５−２）における各々の潜像要素（１１）の動きの方向の相対的な関係も、入射する光の方向に応じて変化するというユニークな効果が生じる。
【０１６５】
この効果は、第一の潜像画像（５−１）と第二の潜像画像（５−２）と各々対を成す積層関係にある第１の蒲鉾状画線群（４−１）及び第２の蒲鉾状画線群（４−２）の画線方向が各々異なることに起因し、入射する光の方向に応じて各々の画線の正反射する画線表面の位置が変化することで、各々の潜像画像（５−１、５−２）のサンプリング方向が変わることで各潜像画線群（７）の再生順序が変わり、結果として各々の潜像要素の動きの方向の相対的な関係が変化するものである。
【０１６６】
具体的には、光の入射方向がＬ１及びＬ２である場合、第一の潜像画像（５−１）は、第１−１の潜像画線群（７−１−１）から第１−５の潜像画線群（７−１−５）へと順方向に画像がサンプリングされ、光の入射方向がＲ１及びＲ２である場合、第一の潜像画像（５−１）は、第１−５の潜像画線群（７−１−５）から第１−１の潜像画線群（７−１−１）へと逆方向に画像がサンプリングされる。その一方、光の入射方向がＬ１及びＲ１である場合、第二の潜像画像（５−２）は、第２−１の潜像画線群（７−２−１）から第２−５の潜像画線群（７−２−５）へと順方向に画像がサンプリングされ、光の入射方向がＬ２及びＲ２である場合、第二の潜像画像（５−２）は、第２−５の潜像画線群（７−２−５）から第２−１の潜像画線群（７−２−１）へと逆方向に画像がサンプリングされるためである。すなわち、各々の潜像要素の動きの方向は、各々の蒲鉾状画線（６）の画線表面のどちら側に光が入射するかによってサンプリング方向が変化するため、潜像要素が配された蒲鉾状画線（６）の画線方向の違いによって、動きの方向の相対的な関係が変化するものである。
【０１６７】
以上が本発明の潜像印刷物（１）の特徴である、入射する光の方向が変化することによって、各々異なる蒲鉾状画線群（４−１、４−２）に出現した潜像要素の動きの方向の相対的な関係が変化することについての説明である。
【０１６８】
また、従来技術で問題であった入射する光の方向が蒲鉾状画線群と平行に光が入射した場合には、潜像画像の全体の見え方が不鮮明になるという問題については、本発明の潜像印刷物（１）は画線方向の異なる少なくとも二つの蒲鉾状画線群（４−１、４−２）によって構成されるため、潜像画像全体が同時に不鮮明になることは防ぐことができる。これは、仮に一方の蒲鉾状画線群（４−１）の画線方向と平行な方向から光が入射した場合、一方の蒲鉾状画線群（４−１）上に現れた潜像画像が不鮮明に見えたとしても、もう一方の蒲鉾状画線群（４−２）の潜像画像は鮮明に見えるためである。
【０１６９】
入射する光の方向が変化することによって、各々異なる蒲鉾状画線群（４−１，４−２）に出現した画像の動きの方向の相対的な関係が変化することを効果的に見せるには、集合蒲鉾状画線群（４）を構成する各々の蒲鉾状画線（６）の画線方向を可能な限り異なる方向とすることが望ましい。方向の角度差は最大で９０度であるが、最小の角度差としては、少なくとも１０度を越えていることが望ましい。あまりに各々の蒲鉾状画線（６）の画線方向が近いと、各々の潜像要素の動きの方向の相対的な関係が変化することを認識できる角度範囲が小さくなってしまうためである。
【０１７０】
以上のように、本発明の潜像印刷物（１）は、集合蒲鉾状画線群（４）と集合潜像画像（５）の刷り合わせがずれても目視上同じ動画効果が必ず発現するとともに、入射する光の方向が変化することによって、各々異なる蒲鉾状画線群（４−１、４−２）上に出現した画像の動きの方向の相対的な関係が変化する効果を有する。
【０１７１】
（第二の実施の形態）
続いて、第二の実施の形態において、印刷画像（３）が画線方向に異なる三つの異なる蒲鉾状画線群を有し、それに対を成す積層関係として三つの潜像画像を有する例について説明する。
【０１７２】
潜像印刷物（１’）の印刷画像（３’）の色彩や基材（２’）の材質等の制約については、第一の実施の形態と同様であるため説明を省略する。図２２に第二の実施の形態における潜像印刷物（１’）（図示せず）構成の概要を示す。印刷画像（３’）は、集合蒲鉾状画線群（４’）の上に集合潜像画像（５’）が重ねて形成されて成る。
【０１７３】
第二の実施の形態において、大きな円形状である集合蒲鉾状画線群（４’）は、大きな円の中心の小さな領域を占める円から成る第１の蒲鉾状画線群（４−１’）と、第１の蒲鉾状画線群（４−１’）に近接して周囲を取り囲むドーナツ形状の第２の蒲鉾状画線群（４−２’）、及び第２の蒲鉾状画線群（４−２’）に近接して周囲を取り囲むドーナツ形状の第３の蒲鉾状画線群（４−３’）の三つの画線群から成る。
【０１７４】
また、同様に集合潜像画像（５’）についても、集合蒲鉾状画線群（４’）の第１の蒲鉾状画線群（４−１’）、第２の蒲鉾状画線群（４−２’）及び第３の蒲鉾状画線群（４−３’）と対を成す積層関係である第一の潜像画像（５−１’）、第二の潜像画像（５−２’）及び第三の潜像画像（５−３’）とを有する。なお、画像以外の白抜き部を含んだ各々の潜像画像（５−１’、５−２’、５−３’）の領域と形状は、各々対を成す積層関係にある蒲鉾状画線群（４−１’、４−２’、４−３’）と一致する。なお、第一の実施の形態と同様、蒲鉾状画線群（４’）と潜像画像（５）については、前述した各々三つに限定されるものではなく、デザインにより、第ｍ個まで形成することが可能である。
【０１７５】
まず、集合蒲鉾状画線群（４’）について具体的に説明する。図２３に示すのは、集合蒲鉾状画線群（４’）であり、盛り上がりを有する、複数の蒲鉾状画線群（４−１’、４−２’、４−３’）から成る。各々の蒲鉾状画線群（４−１’、４−２’、４−３’）は、各々画線群を構成する画線の画線方向が異なる。すなわち、第１の蒲鉾状画線群（４−１’）は、第１の方向（図中Ｓ１方向）を有し、特定の画線幅（Ｗ１）の蒲鉾状画線（６−１’）が第３の方向（図中Ｓ３方向）に第１のピッチ（Ｐ１）で万線状に配置されることで形成されて成り、第２の蒲鉾状画線群（４−２’）は、第２の方向（図中Ｓ２方向）を有し、特定の画線幅（Ｗ２）の蒲鉾状画線（６−２’）が第４の方向（図中Ｓ４方向）に第２のピッチ（Ｐ２）で万線状に配置されることで形成されて成り、第３の蒲鉾状画線群（４−３’）は、第３の方向（図中Ｓ３方向）を有し、特定の画線幅（Ｗ３）の蒲鉾状画線（６−３’）が第１の方向（図中Ｓ１方向）に第３のピッチ（Ｐ３）で万線状に配置されることで形成されて成る。
【０１７６】
集合蒲鉾状画線群（４’）を構成する全ての蒲鉾状画線（６’）の拡散反射光下における色彩は問わず、いかなる色彩であってもよく、透明であっても半透明であってもよく、また、明暗フリップフロップ性又はカラーフリップフロップ性の少なくともどちらか一方の特性を有し、正反射光下では強い反射光を発する特性を有する必要があるのは第一の実施の形態と同様である。また、蒲鉾状画線（６’）の高さや形成方法も第一の実施の形態と同様であることから説明を省略する。
【０１７７】
次に、集合潜像画像（５’）について説明する。第二の実施の形態の集合潜像画像（５’）も、第一の実施の形態の集合潜像画像（５’）と同様に、画線方向の異なる画線群によって構成された複数の潜像画像の集合によって成る。図２４に示すのは、集合潜像画像（５’）であり、複数の潜像画像である第一の潜像画像（５−１’）、第二の潜像画像（５−２’）及び第三の潜像画像（５−３’）から成る。各々の潜像画像（５−１’、５−２’、５−３’）は、各々画像を構成する画線の画線方向が異なる。
【０１７８】
すなわち、第一の潜像画像（５−１’）は、第１の方向（図中Ｓ１方向）を有し、特定の画線幅（Ｗ４）の第１の集合潜像画線（１２−１’）が第３の方向（図中Ｓ３方向）に第１のピッチ（Ｐ１）で万線状に配置されることで形成されて成り、第二の潜像画像（５−２’）は、第２の方向（図中Ｓ２方向）を有し、特定の画線幅（Ｗ５）の第２の集合潜像画線（７−２’）が第４の方向（図中Ｓ４方向）に第２のピッチ（Ｐ２）で万線状に配置されることで形成されて成り、第三の潜像画像（５−３’）は、第３の方向（図中Ｓ３方向）を有し、特定の画線幅（Ｗ６）の第３の集合潜像画線（７−３’）が第１の方向（図中Ｓ１方向）に第３のピッチ（Ｐ３）で万線状に配置されることで形成されて成る。
【０１７９】
集合潜像画像（５）の中の各々の潜像画像（５−１’、５−２’、５−３’）を構成する集合潜像画線群（１２−１’、１２−２’、１２−３’）は、対を成す積層関係にある蒲鉾状画線群（４−１’、４−２’、４−３’）を構成する蒲鉾状画線（６−１’、６−２’、６−３’）と、画線方向とピッチが同じである。
【０１８０】
第二の実施の形態における集合潜像画像（５’）の基になる原画像（９’）の大まかな構成を図２５に示す。図２５（ａ）は、三つの潜像画像（５−１’、５−２’、５−３’）から成る集合潜像画像である。この集合潜像画像（５’）の基となる原画像（９’）は、図２５（ｂ）に示すように、（９−１’、９−２’、９−３’）から成る。第一の潜像画像（５−１’）を構成する第１の原画像（９−１’）は、円の第１の原画像要素（１０−１’）の三個の集合から成り、第二の潜像画像（５−２’）を構成する第２の原画像（９−２’）は、円の第２の原画像要素（１０−２’）の八個の集合から成り、第三の潜像画像（５−３’）を構成する第３の原画像（９−３’）は、円の第３の原画像要素（１０−３’）の十六個の集合から成る。
【０１８１】
各々の原画像要素（１０’）は、第一の実施の形態と同様に、隣接する潜像要素（１１’）は、略相似形状であって、対応した関係で配置された原画像要素（１０’）は、最も近似した略相似形状にある、いわゆる螺旋状の循環構成である。このため、第一の実施の形態と同様に、集合蒲鉾状画線群（４’）と集合潜像画像（５’）の刷り合わせがずれても、目視上同じ動画効果が発現する効果が担保される。
【０１８２】
図２５（ｂ）に示した原画像（９’）に対して、各々方向（Ｓ）の異なる潜像画線（８’）を万線状に配列して形成した複数の潜像画線群（１１’）を図２５（ｃ）に示す。各々の潜像画線群（７−１’、７−２’、７−３’）は、図２５（ｂ）に示した各々の原画像要素（９−１’、９−２’、９−３’）に対応して、各々の潜像要素（１１−１’、１１−２’、１１−３’）から成る。
【０１８３】
図２６に各々の潜像画像（５−１’、５−２’、５−３’）の基になる原画像（９−１’、９−２’、９−３’、９−４’、９−５’）を示す。第一の潜像画像（５−１’）の第１の原画像（９−１’）は、第１−１の原画像（９−１−１’）から第１−５の原画像（９−１−５’）にかけて、第２´の方向（Ｓ２´方向）に２４度ずつ回転する構成であり、第二の潜像画像（５−２’）の第２の原画像（９−２’）は、第２−１の原画像（９−２−１’）から第２−５の原画像（９−２−５’）にかけて、第２´の方向（Ｓ２´方向）に９度ずつ回転する構成であり、第三の潜像画像（５−３’）の第３の原画像（９−３’）は、第３−１の原画像（９−３−１’）から第３−５の原画像（９−３−５’）にかけて、第２´の方向（Ｓ２´方向）に４．５度ずつ回転する構成である。
【０１８４】
これらの原画像（９）を基に、対を成す積層関係にある各々の蒲鉾状画線群（４−１’、４−２’、４−３’）を構成する蒲鉾状画線（６−１’、６−２’、６−３’）と同じ画線方向の潜像画線（８−１’、８−２’、８−３’）によって各々対応したピッチ（Ｐ１、Ｐ２、Ｐ３）で分断することによって、各潜像画像（５−１’、５−２’５−３’５−４’５−５’）を形成し、これらを隣接して配置することによって第一の潜像画像（５−１’、５−２’、５−３’）を作製し、最終的に集合潜像画像（５’）とするのは、第一の実施の形態と同様である。同様に、原画像要素（１０’）を各潜像画線（８’）で分断することで作製される潜像要素（１１’）についても同様の構成を有して成る。
【０１８５】
また、各々の潜像画線（８’）の画線幅（Ｗ’）や原画像要素（１０’）の動きの大きさの設計、集合潜像画像（５’）の色彩や、必要とされる光学特性、作製方法等についても第一の実施の形態と同様であることから説明を省略する。また、集合蒲鉾状画線群（４’）と集合潜像画像（５’）の刷り合わせがずれても目視上同じ動画効果が発現することについては、説明を省略する。以下では、主に入射する光の方向が変化することによって、各々異なる蒲鉾状画線群（４−１’、４−２’、４−３’）に出現した画像の動きの方向の相対的な関係が変化することについて説明する。
【０１８６】
この集合潜像画像（５’）を集合蒲鉾状画線群（４’）の上に重ね合わせて潜像印刷物（１’）が完成する。設計上最も適正な集合蒲鉾状画線群（４’）と集合潜像画像（５’）の重ね合わせの位置関係を図２７に示す。図２７（ａ）に、第１の蒲鉾状画線群（４−１’）と第一の潜像画像（５−１’）の重ね合わせの位置関係を示し、図２７（ｂ）に、第２の蒲鉾状画線群（４−２’）と第二の潜像画像（５−２’）の重ね合わせの位置関係を示し、図２７（ｃ）に第３の蒲鉾状画線群（４−３’）と第三の潜像画像（５−３’）の重ね合わせの位置関係を示す。
【０１８７】
図２７（ａ）では、一つの第１の蒲鉾状画線（６−１’）の上に、第３の方向（図中Ｓ３方向）に向かって順に第１−１の潜像画線（８−１−１’）、第１−２の潜像画線（８−１−２’）、第１−３の潜像画線（８−１−３’）、第１−４の潜像画線（８−１−４’）、第１−５の潜像画線（８−１−５’）が重なり、また、図２７（ｂ）では、一つの第２の蒲鉾状画線（６−２’）の上に、第４の方向（Ｓ４方向）に向かって順に第２−５の潜像画線（８−２−５’）、第２−４の潜像画線（８−２−４’）、第２−３の潜像画線（８−２−３’）、第２−２の潜像画線（８−２−２’）、第２−１の潜像画線（８−２−１’）が重なり、最後に、図２７（ｃ）では、一つの第３の蒲鉾状画線（６−３’）の上に、第１の方向（Ｓ１方向）に向かって順に第３−５の潜像画線（８−２−５’）、第３−４の潜像画線（８−２−４’）、第３−３の潜像画線（８−２−３’）、第３−２の潜像画線（８−２−２’）、第３−１の潜像画線（８−２−１’）が重なる構造を有する。
【０１８８】
続いて、図２７に示すような集合蒲鉾状画線群（４’）と集合潜像画像（５’）を対応した積層配置とした重ね合わせの位置関係で、本発明の潜像印刷物（１’）を形成した場合、正反射光下で傾けて観察すると、各々の潜像要素が回転する動画効果が生じる。ここで、光が入射する方向が図２８に示すように各々別の角度であった場合、各々光の入射方向に応じて、各々三つの蒲鉾状画線群（４−１’、４−２’、４−３’）上において、各々の領域に出現する潜像要素（１１’）の回転する方向の相対的な関係が変化する。光の入射方向とそれに伴って各蒲鉾状画線群（４−１’、４−２’、４−３’）に対応した各潜像画像（５−１’、５−２’、５−３’）の中に出現する潜像要素（１１’）の回転方向を図２９に示す。なお、いずれの場合も潜像印刷物（１’）は、同じ方向に傾けたと仮定する。
【０１８９】
図２９に示すようにＬ１、Ｌ２、Ｌ３、Ｒ１、Ｒ２、Ｒ３のいずれの方向から光が入射した場合でも、各々の蒲鉾状画線群（４−１’、４−２’、４−３’）上において、各々の領域に出現する潜像要素（１１’）の回転する方向の相対的な関係は、全て異なる。以上のように、第二の実施の形態においても入射する光の方向が変化することによって、各々異なる蒲鉾状画線群（４−１’、４−２’、４−３’）に出現した画像の動きの方向の相対的な関係が変化する。
【０１９０】
以上、第一の実施の形態と第二の実施の形態で説明したように、本発明の原画像（９’）の構成における技術的な特徴は、循環型の動画形態であっても、モアレ拡大現象を用いて出現する画像に近い構成を原画像の構成に適用することで、デザイン上の制約の多いモアレ拡大現象を用いることなく、刷り合わせに依存しない動画効果を実現できることを見出したことにある。
【０１９１】
このため、本発明における原画像（９）の構成とは、モアレ拡大現象によって再現できる画像と一部の特徴が一致し、かつ、その効果も一部が一致する。例えば、原画像（９）において略相似形状の原画像要素（１０）が複数配置される必要があることは、モアレ拡大現象を利用した画像において拡大モアレが周期性を有して複数出現する構成と一致し、また、同じ動画効果が繰り返し出現するにも関わらず、対の動きを必要としないことも一致する。
【０１９２】
また、モアレ拡大現象と異なっている点としては、印刷によって引用文献３に記載の技術を形成した場合、本発明の原画像要素（１０）に当たる拡大モアレは、極めて単純な画像、例えばアルファベットの１、２文字程度以下の低解像度の図柄しか表現できなかったが、本発明では、それらの制約はなく、自由に原画像要素（１０）をデザインでき、また、動きの方向に関する制約もない。
【０１９３】
以上のように、本発明は、パラパラ漫画方式の動画効果とモアレ拡大現象を利用した動画効果を融合させることで生まれた技術であって、モアレ拡大現象の刷り合わせに依存しない製造容易性と、パラパラ漫画方式の動画効果におけるデザインの自由度の高さを両立させた技術であると言える。また、潜像印刷物（１）を観察する角度や観察者の視点の位置を変えることなく、入射する光の方向を変化させるだけで各々異なる蒲鉾状画線群（４）に出現した潜像要素（１２）の動きの方向の相対的な関係が変化することについても本発明ではじめて見出したユニークな効果である。
【０１９４】
本発明が意図するスムーズな動画効果を得るためには、まず、各々の潜像画像（５）を構成する潜像画線群（７）の数が一定の数以上に達している必要がある。本発明の構成において、二画像以下の潜像画線群（７）の数では、スムーズな動画効果を得ることは極めて困難であり、少なくとも三画像以上の潜像画線群（７）の数が必要である。潜像画線群（７）の数が多ければ多いほど、その効果は高まる。
【０１９５】
本発明の潜像印刷物（１）は、いずれの潜像画線群（７）が出現しなくとも動画において判別できない程度の差異しか生じない効果を担保できる技術であるが、当然のことながら、いくつかの潜像画線群（７）は、出現しなければその効果は生じない。少なくとも潜像画線群（７）の全数の半分以上の数は出現する効果がある場合にのみ、本発明の効果を得ることができる。仮に、五つの原画像（９）を用いる場合では、そのうち少なくとも三つの潜像画線群（７）が出現する必要がある。
【０１９６】
前述の理由から、本発明の効果を担保するためには、全原画像（９）のうち、可能な限り多くの原画像（９）が潜像画線群として再生される工夫を施すことが好ましい。本来、各々の潜像画線（８）の画線幅（Ｗ）を非画線の幅を越える設計とした場合、必ず全ての原画像（９）が再生される効果が生じるが、印刷画像（３）が小さな面積の場合、この条件を満たす構成では、潜像画線群（７）の数が制限される結果となることから、スムーズな動画効果を生じさせること自体が困難となる。そこで一つの工夫として、本発明の原画像（９）の構成を満たした上で、各々の潜像画線（８）の画線幅を蒲鉾状画線（６）と蒲鉾状画線（６）の間の非画線の幅の２分の１を越える設計とすることが現実的に好ましい構成となる。この構成においては、二つ以上の原画像（９）が非画線に完全に重なってしまうことがなくなり、原画像（９）の数の制約も小さくなるため、好ましい。
【０１９７】
第一の実施の形態や第二の実施の形態において、原画像要素（１０）の動きは、単純な回転を伴うような構成のみについて説明したが、これに限定されるものではない。原画像要素（１０）は、螺旋状の循環構成を満たしてさえいれば、位相や配置角度、大きさ、形状等のいずれかを変えてもよい。例えば、図３０（ａ）や図３０（ｂ）のように、第３´の方向又は第４´の方向（図中Ｓ３´、Ｓ４´）に、単純に一定の方向に位相をずらしながら移動したり、図３０（ｃ）のように、第５´の方向（図中Ｓ５´）に回転したり、図３０（ｄ）の第６´の方向（図中Ｓ６´）のように、方向や移動距離を変化させながら移動してもよい。なお、本発明において、原画像要素（１０）の動き、いわゆる、潜像要素（１２）の配置方向については、図３０（ｄ）のように、途中で方向が変化しても、それは、一つの規則としての方向と見なし、例えば第６´の方向の方向とする。
【０１９８】
ただし、本発明の潜像印刷物（１）の特徴の一つは、「ｍｏｉｒｅ  ｍａｇｎｉｆｉｃａｔｉｏｎ」を用いた動画効果では不可能な動きを実現できる点にあることから、蒲鉾状画線（６）の画線方向と直交する方向に平行移動する視覚効果を用いることは、好ましくない。技術の特徴上、蒲鉾状画線（６）の画線方向と相関のない方向を原画像要素（１０）の動きの方向とすることが好ましい。
【０１９９】
図３１（ａ）には、画像の中心点（Ｏ）を基準として円形状の大きさの異なる五つの原画像要素（１０）が、徐々に大きくなり、最終的に淡く変化しながら消失する構成の原画像（９）の構成を示す。これは水の波紋が広がりながら消えていくイメージを表したものであって、本発明の動画効果として原画像要素（１０）が大きさを変えながら変化する動きを用いてもよい。また、図３１（ｂ）に示すように原画像要素（１０）自体が回転してもよい。例えば、実施の形態の原画像要素（１０）である円を図３１（ｂ）の桜に置き換えることで、原画像要素（１０）の桜一つ一つが回転しながら、第１´の方向（Ｓ１´）に移動する効果を実現することができる。
【０２００】
また、本発明の効果の一つである、各々異なる蒲鉾状画線群（４）上に出現した画像の動きの方向の相対的な関係が変化する効果を、より効果的に見せるためには、各々異なる蒲鉾状画線群（４）は、第一の実施の形態や第二の実施の形態で示すように、各々の蒲鉾状画線群（４）同士が完全に接するか、近い距離にある必要がある。その距離は、大きくとも５ｍｍ以内にあることが好ましい。また、第一の実施の形態や第二の実施の形態で示すように、一つの蒲鉾状画線群（４）の外周ともう一つの蒲鉾状画線群（４）の内周が接し、覆うように包んでいる構造を有することが観察者に効果を認識させ易くする上で最も好ましい。各々の蒲鉾状画線群（４）の位置に距離がある場合には、その動きの関係を把握しづらいためである。
【０２０１】
第一の実施の形態や第二の実施の形態において、全ての蒲鉾状画線群（４）同士が円あるいはドーナツ形状のように、外周が現す形状が全て同じであって、また円のような極めて単純な形状としたが、各々の蒲鉾状画線群（４）同士の輪郭や外周によって一定の有意情報を表現してもよい。例えば、図３２（ａ）に示すように、第１の蒲鉾状画線群（４−１）の輪郭を、星等を現す図柄としたり、文字や数字、記号等を表し、一方の第２の蒲鉾状画線群（４−２）は、それを包むような構成としてもよい。
【０２０２】
あるいは、図３２（ｂ）に示すように、第２の蒲鉾状画線群（４−２）の輪郭によって別の有意情報を表しても何ら問題ない。これらの有意情報は、正反射光下で可視化されて観察者が視認できる画像となる。画線方向の異なる蒲鉾状画線群（４）同士を組み合わせて有意情報を表した場合、有意情報が輪郭に沿って広がるような光の変化が生じたり、正反射光下で有意情報が光の反射光量の違いによって可視化される効果が得られることは、特許４３９５５８６号公報や再公表Ｗ０２００３／０１３８７１号公報等の従来技術で明らかであり、本発明をこれらの技術と組み合わせることは、何ら問題ない。
【０２０３】
本発明の潜像印刷物の動画効果は、単体で用いる方法に限定されるものではなく、例えば、特許第４６８２２８３号公報や特許第４６６０７７５号公報等に記載の基本的な画像のチェンジ効果と組み合わせて用いてもよい。また、同じように動画効果を発現可能な技術、例えば、モアレ拡大現象を利用して動画効果を発現する特許第５１３１７８９号公報に記載の技術や、インテグラルフォトグラフィ方式の動画効果を発現する特許５２００２８４号公報に記載の技術と共に、一つの印刷画像（３）中に配置して視覚効果のバリエーションに富んだ構成としてもよい。
【０２０４】
以下、前述の発明を実施するための形態に従って、具体的に作製した潜像印刷物（１）の実施例について詳細に説明するが、本発明は、この実施例に限定されるものではない。実施例の説明においては、第二の実施の形態と同様に図２２から図２９を用いて説明する。
【実施例１】
【０２０５】
実施例における潜像印刷物は、基材の上に、透明な印刷画像（３’）を形成した（図示せず）。基材（２）は、一般的な白色コート紙（エスプリコートＦＭ 日本製紙製）を用いた。
【０２０６】
本発明の印刷画像（３’）の構成の概要を図２２に示す。印刷画像（３’）は、集合蒲鉾状画線群（４’）と集合潜像画像（５’）を有する。図２３に示すのは、蒲鉾状画線群（４）であり、第１の蒲鉾状画線群（４−１’）は、画線方向９０度を成す画線幅０．３ｍｍの第１の蒲鉾状画線（６−１’）を、ピッチ０．４ｍｍで万線状に配置し、第２の蒲鉾状画線群（４−２’）は、画線方向４５度を成す画線幅０．３ｍｍの第２の蒲鉾状画線（６−２’）をピッチ０．４ｍｍで万線状に配置し、第３の蒲鉾状画線群（４−３’）は、画線方向０度を成す画線幅０．３ｍｍの第３の蒲鉾状画線（６−３’）を、ピッチ０．４ｍｍで万線状に配置して形成した。
【０２０７】
また、図２４に示すのは集合潜像画像（５’）であり、第一の潜像画像（５−１’）は、画線方向９０度を成す第１の集合潜像画線群（１２−１’）をピッチ０．４ｍｍで万線状に配置し、第二の潜像画像（５−２’）は、画線方向４５度を成す第２の集合潜像画線群（１２−２’）をピッチ０．４ｍｍで万線状に配置し、第三の潜像画像（５−３’）は、画線方向０度を成す第３の集合潜像画線群（１２−３’）をピッチ０．４ｍｍで万線状に配置した。
【０２０８】
各々の集合潜像画線群（１２’）は、画線幅０．０８ｍｍの潜像画線（８−１−１’、８−１−２’、８−１−３’、８−１−４’、８−１−５’、８−２−１’、８−２−２’、８−２−３’、８−２−４’、８−２−５’、８−３−１’、８−３−２’、８−３−３’、８−３−４’、８−３−５’）を隙間無く隣接して配置した。各々の原画像（９）の構成については、第二の実施の形態と同様であるので説明を省略する。
【０２０９】
以上の構成の二つの画像を、まず基材上に集合蒲鉾状画線群（４’）をＵＶ乾燥方式のスクリーン印刷方式で印刷した。インキは、表１に示すＵＶスクリーンインキを用いた。本インキは、拡散反射光下では半透明であり、正反射光下では緑色の干渉色を発する。続いて、集合蒲鉾状画線群（４’）の上に集合潜像画像（５’）をＵＶ乾燥方式のオフセット印刷方式で印刷した。インキは、透明なマットニス（マットメジューム  Ｔ＆Ｋ  ＴＯＫＡ製）を使用した。また、蒲鉾状画線（６’）の盛り上がり高さは約１２μｍであった。二つの画像の重なり合いの位置関係については、図２３に示すような位置関係で重ね合わせた。
【０２１０】
【表１】
0006425212.tif 000002
【０２１１】
以上の手順で作製した本発明の潜像印刷物（１’）の効果を確認した。拡散反射光下において、印刷画像（３’）中にはいずれの潜像画線群（７’）も出現せず、完全に不可視であった（図示せず）。一方、正反射光下においては、図２９のようにパール顔料の干渉色である緑色を呈する背景の中に円形の２７個の潜像要素（１１’）が出現し、傾けることで各々の潜像要素（１１’）が回転する動画効果が生じた。
【０２１２】
また、図２８に示すような光の入射方向において、各々の潜像画像（５−１’、５−２’、５−３’）において、潜像要素（１１’）の回転方向が各々変化する効果が生じ、入射する光の方向を変化させるだけで、各々異なる蒲鉾状画線群（４−１’、４−２’、４−３’）に出現した潜像要素（１１’）の動きの方向の相対的な関係が変化する効果が確認できた。
【符号の説明】
【０２１３】
１  潜像印刷物
２  基材
３、３’  印刷画像
４、４’  集合蒲鉾状画線群
４−１、４−１’  第１の蒲鉾状画線群
４−２、４−２’  第２の蒲鉾状画線群
４−３’  第３の蒲鉾状画線群
５、５’  集合潜像画像
５−１、５−１’  第一の潜像画像
５−２、５−２’  第二の潜像画像
５−３’  第三の潜像画像
６  蒲鉾状画線
７  潜像画線群
８  潜像画線
９  原画像
１０  原画像要素
１１  潜像要素
１２  集合潜像画線群
Ａ  従来技術における原画像
Ｂ  従来技術における潜像画線
Ｃ  従来技術における集合潜像画線
Ｄ  従来技術における蒲鉾状画線
Ｓ  方向
【図１】
0006425212.tif 000003
【図２】
0006425212.tif 000004
【図３】
0006425212.tif 000005
【図４】
0006425212.tif 000006
【図５】
0006425212.tif 000007
【図６】
0006425212.tif 000008
【図７】
0006425212.tif 000009
【図８】
0006425212.tif 000010
【図９】
0006425212.tif 000011
【図１０】
0006425212.tif 000012
【図１１】
0006425212.tif 000013
【図１２】
0006425212.tif 000014
【図１３】
0006425212.tif 000015
【図１４】
0006425212.tif 000016
【図１５】
0006425212.tif 000017
【図１６】
0006425212.tif 000018
【図１７】
0006425212.tif 000019
【図１８】
0006425212.tif 000020
【図１９】
0006425212.tif 000021
【図２０】
0006425212.tif 000022
【図２１】
0006425212.tif 000023
【図２２】
0006425212.tif 000024
【図２３】
0006425212.tif 000025
【図２４】
0006425212.tif 000026
【図２５】
0006425212.tif 000027
【図２６】
0006425212.tif 000028
【図２７】
0006425212.tif 000029
【図２８】
0006425212.tif 000030
【図２９】
0006425212.tif 000031
【図３０】
0006425212.tif 000032
【図３１】
0006425212.tif 000033
【図３２】
0006425212.tif 000034
【図３３】
0006425212.tif 000035
【図３４】
0006425212.tif 000036
【図３５】
0006425212.tif 000037
【図３６】
0006425212.tif 000038
【図３７】
0006425212.tif 000039
【図３８】
0006425212.tif 000040